(57)【要約】  志望者の仕事への紹介に関与する様々な事業体（例えば、雇用、人材派遣、およびクライアントコンピュータシステムおよび／またはデバイス）が、従来のシステムが実行することができない機能を実行するために組織的にやり取りすることを可能にするシステムの実施形態が、本明細書において説明される。これらの機能は、例えば、労働者の紹介に関与する種々の事業体のシステムを同期すること、紹介および／または雇用プロセス中に一時労働者を効果的に追跡すること、ならびに、紹介後の活動を追跡することを含み得る。この目的のために、他の新規のツール、インターフェースおよび機能の中でも、志望者紹介プロセスを遂行するためのまったく異なるシステム間のハンドシェイクプロセス、タイムシートの承認および処理、統合請求書の発行、カスタマイズされた分析および報告、一時労働者の派遣元のオンボーディング、および雇用後の追跡などを可能にするシステムおよび方法が提供される。
2020509483.tif 000002
【特許請求の範囲】
【請求項１】
分散コンピュータシステムであって、
複数の人材派遣コンピュータシステムおよびクライアントベースの管理システムに機能的に結合された交換構成要素を備え、
前記交換構成要素は、複数の一時労働者レコードを維持するように構成されており、前記一時労働者レコードの各々は紹介可能な一時労働者のプールからの１人の一時労働者と関連付けられ、
前記クライアントベースの管理システムへのインターフェースをさらに備え、
前記インターフェースは、
識別されているクライアントの一時労働者の求人を示す求人レコードを受け入れ、
前記求人レコードの受信に応答して、前記求人レコードの指示を前記複数の人材派遣コンピュータシステムに提出し、
前記複数の人材派遣コンピュータシステムから複数の志望者レコードを受信し、
前記クライアントベースの管理システムに対して、ユーザに表示されるべき前記複数の志望者レコードを識別し、
前記ユーザから受信される指示に基づいて選択されている志望者の紹介を決定し、
前記指示に応答して、前記交換構成要素によって、前記クライアントベースの管理システム内で前記選択されている志望者のオンボーディングを実行するように構成されている、分散コンピュータシステム。
【請求項２】
前記選択された志望者が紹介された後、前記紹介された志望者に関連付けられるタイムシートデータを記憶するように適合された構成要素をさらに備える、請求項１に記載の分散コンピュータシステム。
【請求項３】
前記ユーザが、前記紹介された志望者に関連付けられる前記記憶されているタイムシートデータを検討することを可能にするように適合されたクライアントインターフェース構成要素をさらに備える、請求項２に記載の分散コンピュータシステム。
【請求項４】
前記交換構成要素は、前記紹介された志望者に関連付けられた前記タイムシートデータを記憶する、請求項２に記載の分散コンピュータシステム。
【請求項５】
前記クライアントベースの管理システムへの前記インターフェースは、被雇用者管理システム内に実装されたプログラムインターフェースである、請求項１に記載の分散コンピュータシステム。
【請求項６】
前記交換構成要素は、前記記憶されているタイムシートデータに基づいて前記クライアントへの請求書を生成するように適合された構成要素をさらに備える、請求項２に記載の分散コンピュータシステム。
【請求項７】
前記交換構成要素は、前記クライアントからの支払いの受領に応答して、前記紹介された志望者に関連付けられた人材派遣会社に自動的に支払うように適合された支払い構成要素を含む、請求項６に記載の分散コンピュータシステム。
【請求項８】
前記交換構成要素は、さらに、前記求人レコードと前記複数の一時労働者レコードのうちの少なくとも１つとの一致について前記一時労働者のプールの中で検索機能を実行するように構成される、請求項１に記載の分散コンピュータシステム。
【請求項９】
前記交換構成要素は、プログラムインターフェースを通じて前記複数の人材派遣コンピュータシステムで求人レコードを作成するように適合されている、請求項１に記載の分散コンピュータシステム。
【請求項１０】
前記作成された求人レコードは、所定の期間にわたって、前記複数の人材派遣コンピュータシステムのうちの選択された数に対してアクティブである、請求項９に記載の分散コンピュータシステム。
【請求項１１】
ユーザが前記複数の一時労働者レコードを閲覧することを可能にするインターフェースをさらに備え、各一時労働者レコードは、紹介可能な一時労働者のプールからの１人の一時労働者に関連付けられる、請求項１に記載の分散コンピュータシステム。
【請求項１２】
少なくとも１つの前記一時労働者レコードに関連付けられる採用担当者の指示をさらに備え、前記採用担当者の前記指示は、前記関連付けられた採用担当者の少なくとも１つのパフォーマンスパラメータを含む、請求項１１に記載の分散コンピュータシステム。
【請求項１３】
前記記憶されているタイムシートデータに基づいて前記クライアントへの請求書を生成するように適合された前記構成要素は、制御入力の選択に応答して前記クライアントがタイムシートデータを取り出すことを可能にする構成要素をさらに含む、請求項６に記載の分散コンピュータシステム。
【請求項１４】
前記制御入力は、前記請求書の表現内にリンクを含む、請求項１３に記載の分散コンピュータシステム。
【請求項１５】
一時労働者紹介インターフェースをユーザが閲覧することを可能にするインターフェースをさらに備え、前記紹介インターフェースは、一時的なポジションおよび割り当てられる一時労働者の指示と関連付けられるパラメータを含む、請求項１に記載の分散コンピュータシステム。
【請求項１６】
コンピュータシステム上で実行するための命令によって符号化されている不揮発性コンピュータ可読媒体であって、前記命令は、実行されると、システムを提供し、
前記システムは、
複数の人材派遣コンピュータシステムおよびクライアントベースの管理システムに機能的に結合された交換構成要素を備え、
前記交換構成要素は、複数の一時労働者レコードを維持するように構成されており、前記一時労働者レコードの各々は紹介可能な一時労働者のプールからの１人の一時労働者と関連付けられ、
前記システムは、前記クライアントベースの管理システムへのインターフェースをさらに備え、
前記インターフェースは、
識別されているクライアントの一時労働者の求人を示す求人レコードを受け入れ、
前記求人レコードの受信に応答して、前記求人レコードの指示を前記複数の人材派遣コンピュータシステムに提出し、
前記複数の人材派遣コンピュータシステムから複数の志望者レコードを受信し、
前記クライアントベースの管理システムに対して、ユーザに表示されるべき前記複数の志望者レコードを識別し、
前記ユーザから受信される指示に基づいて選択されている志望者の紹介を決定し、
前記指示に応答して、前記交換構成要素によって、前記クライアントベースの管理システム内で前記選択されている志望者のオンボーディングを実行するように構成されている、不揮発性コンピュータ可読媒体。
【請求項１７】
前記システムは、前記選択された志望者が紹介された後、前記紹介された志望者に関連付けられるタイムシートデータを記憶するように適合された構成要素をさらに備える、請求項１６に記載のシステム。
【請求項１８】
前記システムは、前記ユーザが、前記紹介された志望者に関連付けられる前記記憶されているタイムシートデータを検討することを可能にするように適合されたクライアントインターフェース構成要素をさらに備える、請求項１７に記載のシステム。
【請求項１９】
前記交換構成要素は、前記紹介された志望者に関連付けられた前記タイムシートデータを記憶する、請求項１７に記載のシステム。
【請求項２０】
前記クライアントベースの管理システムへの前記インターフェースは、被雇用者管理システム内に実装されたプログラムインターフェースである、請求項１６に記載のシステム。
【請求項２１】
前記交換構成要素は、前記記憶されているタイムシートデータに基づいて前記クライアントへの請求書を生成するように適合された構成要素をさらに備える、請求項１７に記載のシステム。
【請求項２２】
前記交換構成要素は、前記クライアントからの支払いの受領に応答して、前記紹介された志望者に関連付けられた人材派遣会社に自動的に支払うように適合された支払い構成要素を含む、請求項２１に記載のシステム。
【請求項２３】
前記交換構成要素は、さらに、前記求人レコードと前記複数の一時労働者レコードのうちの少なくとも１つとの一致について前記一時労働者のプールの中で検索機能を実行するように構成される、請求項１６に記載のシステム。
【請求項２４】
前記交換構成要素は、プログラムインターフェースを通じて前記複数の人材派遣コンピュータシステムで求人レコードを作成するように適合されている、請求項１６に記載のシステム。
【請求項２５】
前記作成された求人レコードは、所定の期間にわたって、前記複数の人材派遣コンピュータシステムのうちの選択された数に対してアクティブである、請求項２４に記載のシステム。
【請求項２６】
ユーザが前記複数の一時労働者レコードを閲覧することを可能にするインターフェースをさらに備え、各一時労働者レコードは、紹介可能な一時労働者のプールからの１人の一時労働者に関連付けられる、請求項１６に記載のシステム。
【請求項２７】
少なくとも１つの前記一時労働者レコードに関連付けられる採用担当者の指示をさらに備え、前記採用担当者の前記指示は、前記関連付けられた採用担当者の少なくとも１つのパフォーマンスパラメータを含む、請求項２６に記載のシステム。
【請求項２８】
前記記憶されているタイムシートデータに基づいて前記クライアントへの請求書を生成するように適合された前記構成要素は、制御入力の選択に応答して前記クライアントがタイムシートデータを取り出すことを可能にする構成要素をさらに含む、請求項２１に記載のシステム。
【請求項２９】
前記制御入力は、前記請求書の表現内にリンクを含む、請求項２８に記載のシステム。
【請求項３０】
一時労働者紹介インターフェースをユーザが閲覧することを可能にするインターフェースをさらに備え、前記紹介インターフェースは、一時的なポジションおよび割り当てられる一時労働者の指示と関連付けられるパラメータを含む、請求項１６に記載のシステム。
【請求項３１】
分散コンピュータシステムであって、
ネットワークインターフェースと、
データベースと、
前記ネットワークインターフェースを介して雇用者コンピュータシステムおよび人材派遣会社コンピュータシステムに結合されている交換構成要素とを備え、
前記交換システムは、前記データベース内に、複数の求人レコードを記憶するように構成され、前記複数の求人レコードの各々は複数の求人のうちの１つと関連付けられており、
前記交換システムは、前記複数の求人レコードを、前記雇用者コンピュータシステムによって記憶されている１つまたは複数の求人のデータセットと同期させるように構成され、
前記同期させることは、
前記雇用者コンピュータシステムによって記憶されている前記１つまたは複数の求人のデータセット内で、前記複数の求人に含まれない新しい求人を識別することと、
前記データベース内に新しい求人レコードを生成することとを含み、前記新しい求人レコードは前記新しい求人と関連付けられ、
前記交換システムは、
前記人材派遣会社コンピュータシステムに、前記新しい求人レコードへのアクセスを提供し、
前記データベース内で一時労働者レコードのプールを維持するように構成され、前記一時労働者レコードの各々は、志望者として紹介可能な複数の一時労働者のうちの１人に関連付けられており、
前記交換システムは、前記複数の一時労働者のうちの１人の一時労働者を、前記新しい求人と照合するように構成される、分散コンピュータシステム。
【請求項３２】
前記交換構成要素は、前記雇用者コンピュータシステムによって使用される応募追跡システム（ＡＴＳ）に結合される、請求項３１に記載の分散コンピュータシステム。
【請求項３３】
前記交換構成要素は、さらに、
前記一時労働者を前記新しい求人と照合することに応答して、前記一時労働者と関連付けられる前記複数の一時労働者レコードのそれぞれから、前記雇用者コンピュータシステムに前記一時労働者に関する情報を送信するように構成される、請求項３１に記載の分散コンピュータシステム。
【請求項３４】
前記交換構成要素は、前記ネットワークインターフェースを介して、前記雇用者コンピュータシステムから前記一時労働者が雇用されたという指示を受信するようにさらに構成される、請求項３１に記載の分散コンピュータシステム。
【請求項３５】
前記交換構成要素は、さらに、
前記雇用者コンピュータシステムからの、前記一時労働者が雇用されたという前記指示の受信に応答して、
前記ネットワークインターフェースを介して、前記人材派遣コンピュータシステムに、前記一時労働者が雇用されたことを示す指示を送信し、
前記ネットワークインターフェースを介して前記人材派遣コンピュータシステムからの受け入れの指示を受信し、
前記ネットワークインターフェースを介して前記人材派遣コンピュータシステムからの前記受け入れの指示を前記雇用者コンピュータシステムに送信し、
前記ネットワークインターフェースを介して、前記雇用者コンピュータシステムから雇用プロセスの完了の指示を受信し、
前記データベース内に、前記求人への前記一時労働者の紹介を指定する情報を記憶するように構成される、請求項３４に記載の分散コンピュータシステム。
【請求項３６】
前記人材派遣コンピュータシステムに前記新しい求人レコードへのアクセスを提供することは、前記人材派遣コンピュータシステムのユーザが前記新しい求人に対して志望者を提出することを可能にするユーザインターフェースを生成することを含む、請求項３１に記載の分散コンピュータシステム。
【請求項３７】
前記交換構成要素は、
前記ユーザインターフェースを介して、前記新しい求人への前記一時労働者の提出を受信し、
前記提出の受信に応答して前記一時労働者を前記新しい求人と照合するようにさらに構成される、請求項３６に記載の分散コンピュータシステム。
【請求項３８】
前記交換構成要素は、前記データベース内で、前記一時労働者が前記新しい求人レコードに一致したときに前記一時労働者に関連付けられた一時労働者レコードの志望者ステータスを維持するようにさらに構成される、請求項３１に記載の分散コンピュータシステム。
【請求項３９】
前記交換構成要素は、
前記雇用者コンピュータシステムから前記志望者ステータスへの更新の指示を受信し、
前記志望者ステータスへの前記更新の前記指示の受信に応答して前記データベース内の前記一時労働者の前記志望者ステータスを更新するようにさらに構成される、請求項３８に記載の分散コンピュータシステム。
【請求項４０】
前記交換構成要素は、前記雇用者コンピュータシステムによって使用される応募者追跡システム（ＡＴＳ）における志望者ステータスの変化に応答して、前記雇用者コンピュータシステムから前記志望者ステータスへの前記更新の前記指示を受信するようにさらに構成される、請求項３９に記載の分散コンピュータシステム。
【請求項４１】
前記交換構成要素は、前記新しい求人の推薦先である１つまたは複数の人材派遣会社を決定するように構成され、
前記１つまたは複数の人材派遣会社は、前記人材派遣会社コンピュータシステムに関連付けられる人材派遣会社を含み、
前記交換構成要素は、前記１つまたは複数の人材派遣会社の決定に応答して、前記人材派遣会社コンピュータシステムに前記新しい求人の指示を送信するように構成される、請求項３１に記載の分散コンピュータシステム。
【請求項４２】
前記交換構成要素は、
ユーザが、前記新しい求人の推薦先である前記１つまたは複数の人材派遣会社を選択することを可能にするユーザインターフェースを生成し、
前記ユーザインターフェースを介して前記１つまたは複数の人材派遣会社のユーザ選択を受信し、
前記受信したユーザ選択に基づいて前記１つまたは複数の人材派遣会社を決定するように構成される、請求項４１に記載の分散コンピュータシステム。
【請求項４３】
雇用者コンピュータシステムと人材派遣会社コンピュータシステムを統合するための、コンピュータによって実施される方法であって、
データベース内に、複数の求人レコードを記憶することを含み、前記複数の求人レコードの各々は複数の求人のうちの１つと関連付けられており、
前記方法は、さらに、前記複数の求人レコードを、前記雇用者コンピュータシステムによって記憶されている１つまたは複数の求人のデータセットと同期させることを含み、
前記同期させることは、
前記雇用者コンピュータシステムによって記憶されている前記１つまたは複数の求人の前記データセット内で、前記複数の求人に含まれない新しい求人を識別することと、
前記データベース内に新しい求人レコードを生成することとを含み、前記新しい求人は新しい求人と関連付けられ、
前記方法は、さらに、
前記人材派遣会社コンピュータシステムに、前記新しい求人レコードへのアクセスを提供することと、
前記データベース内で一時労働者レコードのプールを維持することとを含み、前記一時労働者レコードの各々は、志望者として紹介可能な複数の一時労働者のうちの１人に関連付けられており、
前記方法は、さらに、前記複数の一時労働者のうちの１人の一時労働者を、前記新しい求人と照合することを含む、方法。
【請求項４４】
ネットワークインターフェースを介して、前記雇用者コンピュータシステムから前記一時労働者が雇用されたという指示を受信することをさらに含む、請求項４３に記載の方法。
【請求項４５】
前記雇用者コンピュータシステムからの前記一時労働者が雇用されたという前記指示の受信に応答して、
前記ネットワークインターフェースを介して、前記人材派遣コンピュータシステムに、前記一時労働者が雇用されたことを示す指示を送信することと、
前記ネットワークインターフェースを介して前記人材派遣コンピュータシステムからの受け入れの指示を受信することと、
前記ネットワークインターフェースを介して前記人材派遣コンピュータシステムからの前記受け入れの指示を前記雇用者コンピュータシステムに送信することと、
前記ネットワークインターフェースを介して、前記雇用者コンピュータシステムから雇用プロセスの完了の指示を受信することと、
前記データベース内に、前記求人への前記一時労働者の紹介を指定する情報を記憶することとをさらに含む、請求項４４に記載の方法。
【請求項４６】
前記人材派遣コンピュータシステムに前記新しい求人レコードへのアクセスを提供することは、前記人材派遣コンピュータシステムのユーザが前記新しい求人に対して志望者を提出することを可能にするユーザインターフェースを生成することを含む、請求項４３に記載の方法。
【請求項４７】
前記ユーザインターフェースを介して、前記新しい求人への前記一時労働者の提出を受信することと、
前記提出の受信に応答して、前記複数の一時労働者の前記プールからの前記一時労働者を照合することとをさらに含む、請求項４６に記載の方法。
【請求項４８】
前記方法は、さらに、前記新しい求人の推薦先である１つまたは複数の人材派遣会社を決定することを含み、
前記１つまたは複数の人材派遣会社は、前記人材派遣会社コンピュータシステムに関連付けられる人材派遣会社を含み、
前記方法は、前記１つまたは複数の人材派遣会社の決定に応答して、前記人材派遣会社コンピュータシステムに前記新しい求人の指示を送信することをさらに含む、請求項４３に記載の方法。
【請求項４９】
ユーザが、前記新しい求人の推薦先である前記１つまたは複数の人材派遣会社を選択することを可能にするユーザインターフェースを生成することと、
前記１つまたは複数の人材派遣会社のユーザ選択を受信することと、
前記受信したユーザ選択に基づいて前記１つまたは複数の人材派遣会社を決定することとをさらに含む、請求項４８に記載の方法。
【請求項５０】
コンピュータシステム上で実行するための命令によって符号化されている不揮発性コンピュータ可読媒体であって、命令は、実行されると、方法を実施し、前記方法は、
データベース内に、複数の求人レコードを記憶することを含み、前記複数の求人レコードの各々は複数の求人のうちの１つと関連付けられており、
前記方法は、さらに、前記複数の求人レコードを、前記雇用者コンピュータシステムによって記憶されている１つまたは複数の求人のデータセットと同期させることを含み、
前記同期させることは、
前記雇用者コンピュータシステムによって記憶されている前記１つまたは複数の求人の前記データセット内で、前記複数の求人に含まれない新しい求人を識別することと、
前記データベース内に新しい求人レコードを生成することとを含み、前記新しい求人は前記新しい求人と関連付けられ、
前記方法は、さらに、
前記人材派遣会社コンピュータシステムに、前記新しい求人レコードへのアクセスを提供することと、
前記データベース内で一時労働者レコードのプールを維持することとを含み、前記一時労働者レコードの各々は、志望者として紹介可能な複数の一時労働者のうちの１人に関連付けられており、
前記方法は、さらに、前記複数の一時労働者のうちの１人の一時労働者を、前記新しい求人と照合することを含む、不揮発性コンピュータ可読媒体。
【請求項５１】
分散コンピュータシステムであって、
ネットワークインターフェースと、
データベースと、
前記ネットワークインターフェースを介して雇用者コンピュータシステムおよび人材派遣会社コンピュータシステムに結合されている交換構成要素とを備え、
前記交換システムは、
前記ネットワークインターフェースを介して、前記雇用者コンピュータシステムから、志望者が求人に雇用されたという第１の指示を受信し、
前記雇用者コンピュータシステムからの前記志望者が雇用されたという前記第１の指示の受信に応答して、前記ネットワークインターフェースを介して、前記志望者が雇用されたという第２の指示を前記人材派遣会社コンピュータシステムに送信し、
前記ネットワークインターフェースを介して、前記雇用者コンピュータシステムから前記求人への前記志望者の紹介が完了したという第３の指示を受信し、
前記志望者の前記紹介が完了したという前記指示の受信に応答して、
前記データベース内に、前記雇用された志望者に関連付けられた労働者のレコードを記憶し、
前記データベース内に、前記雇用者コンピュータシステムのユーザに関連付けられた承認者のレコードを記憶するように構成される、分散コンピュータシステム。
【請求項５２】
前記交換構成要素は、前記雇用者コンピュータシステムによって使用される応募者追跡システム（ＡＴＳ）内の前記志望者と関連付けられるステータスが雇用済みに変化していることに応答して、前記志望者が前記求人に対して雇用されたという前記第１の指示を受信するようにさらに構成される、請求項５１に記載の分散コンピュータシステム。
【請求項５３】
前記交換構成要素は、前記ネットワークインターフェースを介して、前記雇用された志望者によって使用されるクライアントシステムにさらに結合される、請求項５１に記載の分散コンピュータシステム。
【請求項５４】
前記交換構成要素は、提出されたタイムシートの指示を前記クライアントシステムから受信するようにさらに構成される、請求項５３に記載の分散コンピュータシステム。
【請求項５５】
前記交換構成要素は、前記提出されたタイムシートの指示を前記雇用者コンピュータシステムの前記ユーザに送信するようにさらに構成される、請求項５４に記載の分散コンピュータシステム。
【請求項５６】
前記交換構成要素は、
前記雇用者コンピュータシステムの前記ユーザによる前記タイムシートの承認の指示を前記雇用者コンピュータシステムから受信し、
前記承認されたタイムシートを前記データベースに記憶するようにさらに構成される、請求項５４に記載の分散コンピュータシステム。
【請求項５７】
前記交換構成要素は、
前記ネットワークインターフェースを介して、前記雇用者コンピュータシステムから、前記雇用者コンピュータシステムの前記ユーザによる前記タイムシートの拒絶の指示を受信し、
前記ネットワークインターフェースを介して、前記雇用された志望者によって使用される前記クライアントシステムに、前記拒絶されたタイムシートの指示を送信するようにさらに構成される、請求項５４に記載の分散コンピュータシステム。
【請求項５８】
前記交換構成要素は、前記提出されたタイムシートに基づいて請求書を生成するようにさらに構成される、請求項５４に記載の分散コンピュータシステム。
【請求項５９】
前記交換構成要素は、前記ネットワークインターフェースを介して、前記雇用者コンピュータシステムによって使用される自動支払いシステムに前記請求書を送信するようにさらに構成される、請求項５８に記載の分散コンピュータシステム。
【請求項６０】
前記交換構成要素は、
前記ネットワークインターフェースを介して、前記請求書の送信に応答して前記雇用者コンピュータシステムから支払いを受け取り、
前記ネットワークインターフェースを介して、前記人材派遣会社コンピュータシステムに関連付けられている人材派遣会社の口座に送金するようにさらに構成される、請求項５９に記載の分散コンピュータシステム。
【請求項６１】
雇用者コンピュータシステムと人材派遣会社コンピュータシステムとを統合するコンピュータによって実施される方法であって、
ネットワークインターフェースを介して、前記雇用者コンピュータシステムから、志望者が求人に雇用されたという第１の指示を受信することと、
前記雇用者コンピュータシステムからの前記志望者が雇用されたという前記第１の指示の受信に応答して、前記ネットワークインターフェースを介して、前記志望者が雇用されたという第２の指示を前記人材派遣会社コンピュータシステムに送信することと、
前記ネットワークインターフェースを介して、前記雇用者コンピュータシステムから前記求人への前記志望者の紹介が完了したという第３の指示を受信することと、
前記志望者の前記紹介が完了したという前記指示の受信に応答して、
データベース内に、前記雇用された志望者に関連付けられた労働者のレコードを記憶することと、
前記データベース内に、前記雇用者コンピュータシステムのユーザに関連付けられた承認者のレコードを記憶することとを含む、方法。
【請求項６２】
前記ネットワークインターフェースを介して、前記雇用された志望者によって使用されるクライアントシステムから、提出されたタイムシートの指示を受信することをさらに含む、請求項６１に記載の方法。
【請求項６３】
前記ネットワークインターフェースを介して、前記提出されたタイムシートの指示を前記雇用者コンピュータシステムの前記ユーザに送信することをさらに含む、請求項６２に記載の方法。
【請求項６４】
前記ネットワークインターフェースを介して、前記雇用者コンピュータシステムから、前記雇用者コンピュータシステムの前記ユーザによる前記タイムシートの承認の指示を受信することと、
前記承認されたタイムシートを前記データベース内に記憶することとをさらに含む、請求項６２に記載の方法。
【請求項６５】
前記ネットワークインターフェースを介して、前記雇用者コンピュータシステムから、前記雇用者コンピュータシステムの前記ユーザによる前記タイムシートの拒絶の指示を受信することと、
前記ネットワークインターフェースを介して、前記雇用された志望者によって使用される前記クライアントシステムに、前記拒絶されたタイムシートの指示を送信することとをさらに含む、請求項６２に記載の方法。
【請求項６６】
前記提出されたタイムシートに基づいて請求書を生成することをさらに含む、請求項６２に記載の方法。
【請求項６７】
前記ネットワークインターフェースを介して、前記雇用者コンピュータシステムによって使用される自動支払いシステムに前記請求書を送信することをさらに含む、請求項６６に記載の方法。
【請求項６８】
前記ネットワークインターフェースを介して、前記請求書の送信に応答して前記雇用者コンピュータシステムから支払いを受信することと、
前記ネットワークインターフェースを介して、前記人材派遣会社コンピュータシステムに関連付けられている人材派遣会社の口座に送金することとをさらに含む、請求項６７に記載の方法。
【請求項６９】
コンピュータシステム上で実行するための命令によって符号化されている不揮発性コンピュータ可読媒体であって、前記命令は、実行されると、方法を実施し、前記方法は、
ネットワークインターフェースを介して、前記雇用者コンピュータシステムから志望者が求人に雇用されたという第１の指示を受信することと、
前記雇用者コンピュータシステムからの前記志望者が雇用されたという前記第１の指示の受信に応答して、前記ネットワークインターフェースを介して、前記志望者が雇用されたという第２の指示を前記人材派遣会社コンピュータシステムに送信することと、
前記ネットワークインターフェースを介して、前記雇用者コンピュータシステムから前記求人への前記志望者の紹介が完了したという第３の指示を受信することと、
前記志望者の前記紹介が完了したという前記指示の受信に応答して、
データベース内に、前記雇用された志望者に関連付けられた労働者のレコードを記憶することと、
前記データベース内に、前記雇用者コンピュータシステムのユーザに関連付けられた承認者のレコードを記憶することとを含む、不揮発性コンピュータ可読媒体。
【請求項７０】
前記ネットワークインターフェースを介して、前記雇用された志望者によって使用されるクライアントシステムから、提出されたタイムシートの指示を受信することをさらに含む、請求項６９に記載の方法。
【発明の詳細な説明】
【技術分野】
【０００１】
著作権保護の対象となる資料の通知
本特許文書の資料の一部は、米国および他の国の著作権法の下で著作権保護の対象となる。著作権の所有者は、米国特許商標局が公開しているファイルまたは記録に表示される形での、特許文書または特許開示の何人かによる複写にも異論はないが、それ以外については何であれすべての著作権権利を留保する。著作権所有者は、本明細書によって、米国特許法施行規則第１条第１４項に基づく権利を含むがこれに限定されない、本特許文書を秘密に保持する権利を放棄しない。
【０００２】
関連出願
本出願は、「一時労働者を管理するためのシステムおよびインターフェース（ＳＹＳＴＥＭＳ  ＡＮＤ  ＩＮＴＥＲＦＡＣＥＳ  ＦＯＲ  ＭＡＮＡＧＩＮＧ  ＴＥＭＰＯＲＡＲＹ  ＷＯＲＫＥＲＳ）」と題する、２０１７年２月１３日に提出された米国特許出願第６２／４５８，５２８号の暫定版（米国特許法第１１９条（ｅ）項）の非暫定版である。
【背景技術】
【０００３】
発明の背景
雇用会社および人材派遣会社は、コンピュータシステムを利用して、求人の志望者および応募者を管理することができる。例えば、雇用会社は応募者追跡システム（ＡＴＳ）を利用して、様々な採用活動を処理することができる。人材派遣会社は、別個の人材派遣プラットフォーム（例えば、別個のＡＴＳ）を使用して、志望者および採用活動を管理することができる。さらに、志望者の紹介後、雇用会社および人材派遣会社は、志望者の職業紹介の一環として、他のやり取りを実行する場合がある。例えば、雇用会社は、労働者が雇用会社による雇用を開始した後、その労働者の給与の一定割合を人材派遣会社に支払う場合がある。
【発明の概要】
【課題を解決するための手段】
【０００４】
概要
労働者の雇用、評価、給与およびパフォーマンスの管理に使用されるシステムおよびソフトウェアが存在する。また、採用担当者などの採用専門家によって、応募者を募集および追跡するシステムもある。しかし、１つの態様によれば、管理および追跡には複数の異なるコンピュータおよびソフトウェアシステム間の協調が含まれる可能性があるため、複数の異なる事業体にわたって労働者を管理および追跡する既存の能力では不十分であることが理解される。公募職への志望者の雇用に関連付けられる種々の当事者は、各々が別個のコンピュータシステム（複数可）および別個のソフトウェアアプリケーション（複数可）を使用する場合がある。様々なコンピュータシステムおよびソフトウェアアプリケーションは相互にやり取りすることができない。大量の求人、志望者、および労働者の記録が記憶、更新、および追跡されることを考えると、複数の異なるコンピュータシステムおよびソフトウェアアプリケーションがやり取りすることができないため、これらのコンピュータシステムおよびソフトウェアアプリケーションは、雇用活動と関連付けられるいくつかの機能を実行することができないままである。
【０００５】
本発明者らは、志望者の紹介に関与する様々な事業体（例えば、雇用、人材派遣、およびクライアントコンピュータシステムおよび／またはデバイスなどの事業体）が、従来のシステムが実行することができない機能を実行するために組織的にやり取りすることを可能にするシステムおよび関連インターフェースの必要性を認識している。例えば、複数の雇用者および現場の間で一時労働者を紹介するための、複数のコンピュータシステム間を効果的に協調させるための様々な機能があり得ることが理解される。これらの機能は、例えば、労働者の紹介に関与する様々な事業体のシステムの同期、紹介および／または雇用プロセス中の一時労働者の効果的な追跡、一時労働者の支払いの追跡、および就職後の一時労働者のパフォーマンスの追跡、労働者の紹介に関与する当事者への支払いの分配を含み得る。この目的のために、他の新規のツール、インターフェースおよび機能の中でも特に、システム間のハンドシェイクプロセス、タイムシートの承認および処理、一時労働者に関する統合請求書の発行、カスタマイズされた分析および報告、一時労働者の派遣元のオンボーディング（onboarding）、および雇用後の追跡を可能にするシステムおよび方法が提供される。
【０００６】
いくつかの実施形態によれば、システムは、雇用者、人材派遣会社、および様々なサービス提供コンサルタントによって使用されるコンピュータシステムおよび／またはソフトウェアアプリケーションによって実行される機能を統合する構成要素を含む。特定の構成要素は、他の機能および操作の中でも、クライアントへの労働者の紹介を実施し、必要なオンボーディング要件を満たし、タイムシートを処理し、請求書の発行および報告機能を実施するために、このような事業体間のワークフローを一体化および統合する。様々な態様によれば、ワークフローが最適化され、ステップ数が削減される。さらに、雇用者、人材派遣紹介会社のコンピュータシステムにまたがるシステムによって、一時労働者の報告および追跡能力を促進することができる。
【０００７】
別の態様によれば、現在のシステムよりも優れた能力を有する、一時労働者およびオープンポジションのための市場を形成することができる。例えば、１人または複数の雇用者から複数の臨時の仕事を収集し、そうでなければ個別のコンピュータシステムおよびアプリケーションに存在し得る複数の人材派遣会社からの応募者を追跡するシステムを提供することができる。このシステムは、雇用者が、様々な人材派遣会社から紹介可能な人材を閲覧し、雇用者の現場で空きがある一時的なポジションに対する採用を可能にするために使用される雇用者インターフェースを含むことができる。雇用者には、雇用者が、他の機能の中でも、タイムシートの閲覧および承認し、報告の生成および検討し、請求書を検討し、人材派遣会社への支払いを追跡することを可能にする複数のツールが提供され得る。雇用者、採用担当者、および人材派遣代理店が使用するコンピュータシステム間の通信を促進する人材プラットフォーム交換システムによって、いくつかの態様を促進することができる。
【０００８】
本発明の１つの態様によれば、分散コンピュータシステムが提供され、分散コンピュータシステムは、複数の人材派遣コンピュータシステムおよびクライアントベースの管理システムに機能的に結合された交換構成要素であって、交換構成要素は、複数の一時労働者レコードを維持するように構成されており、それらの労働者レコードの各々は紹介可能な一時労働者のプールからの１人の一時労働者と関連付けられる、交換構成要素と、クライアントベースの管理システムへのインターフェースであって、インターフェースは、識別されているクライアント向けの一時労働者の求人を示す求人レコードを受け入れ、求人レコードの受信に応答して、求人レコードの指示を複数の人材派遣コンピュータシステムに提出し、複数の人材派遣コンピュータシステムから複数の志望者レコードを受信し、クライアントベースの管理システムに対して、ユーザに表示されるべき複数の志望者レコードを識別し、ユーザから受信される指示に基づいて選択されている志望者の紹介を決定し、指示に応答して、交換構成要素によって、クライアントベースの管理システム内で選択されている志望者のオンボーディングを実行するように構成されている、インターフェースとを備える。
【０００９】
１つの実施形態によれば、システムは、選択された志望者が紹介された後、紹介された志望者に関連付けられるタイムシートデータを記憶するように適合された構成要素をさらに備える。別の実施形態によれば、システムは、ユーザが、紹介された志望者に関連付けられる記憶されているタイムシートデータを検討することを可能にするように適合されたクライアントインターフェース構成要素をさらに備える。別の実施形態によれば、交換構成要素は、紹介された志望者に関連付けられたタイムシートデータを記憶する。
【００１０】
別の実施形態によれば、クライアントベースの管理システムへのインターフェースは、被雇用者管理システム内に実装されたプログラムインターフェースである。別の実施形態によれば、交換構成要素は、記憶されているタイムシートデータに基づいてクライアントへの請求書を生成するように適合された構成要素をさらに備える。別の実施形態によれば、交換構成要素は、クライアントからの支払いの受領に応答して、紹介された志望者に関連付けられた人材派遣会社に自動的に支払うように適合された支払い構成要素を含む。
【００１１】
別の実施形態によれば、交換構成要素はさらに、求人レコードと複数の一時労働者レコードのうちの少なくとも１つとの一致について一時労働者のプールの中で検索機能を実行するように構成される。別の実施形態によれば、交換構成要素は、プログラムインターフェースを通じて複数の人材派遣コンピュータシステムで求人レコードを作成するように適合されている。別の実施形態によれば、作成された求人レコードは、所定の期間にわたって、複数の人材派遣コンピュータシステムのうちの選択された数に対してアクティブである。
【００１２】
別の実施形態によれば、システムは、ユーザが複数の一時労働者レコードを閲覧することを可能にするインターフェースをさらに備え、各レコードは、紹介可能な一時労働者のプールからの１人の一時労働者に関連付けられる。別の実施形態によれば、システムは、少なくとも１つの一時労働者レコードに関連付けられる採用担当者の指示をさらに含み、採用担当者の指示は、関連付けられる採用担当者の少なくとも１つのパフォーマンスパラメータを含む。
【００１３】
別の実施形態によれば、記憶されているタイムシートデータに基づいてクライアントへの請求書を生成するように構成された構成要素は、制御入力の選択に応答してクライアントがデータを取り出すことを可能にする構成要素をさらに含む。別の実施形態によれば、制御入力は、請求書の表示内のリンクを含む。別の実施形態によれば、システムは、一時労働者紹介インターフェースをユーザが閲覧することを可能にするインターフェースをさらに備え、紹介インターフェースは、一時的なポジションおよび割り当てられる一時労働者の指示と関連付けられるパラメータを含む。
【００１４】
本発明の別の態様によれば、コンピュータシステム上で実行するための命令によって符号化されている不揮発性コンピュータ可読媒体が提供され、命令は、実行されると、複数の人材派遣コンピュータシステムおよびクライアントベースの管理システムに機能的に結合された交換構成要素であって、交換構成要素は、複数の一時労働者レコードを維持するように構成されており、それらの労働者レコードの各々は紹介可能な一時労働者のプールからの１人の一時労働者と関連付けられる、交換構成要素と、クライアントベースの管理システムへのインターフェースであって、インターフェースは、識別されているクライアントの一時労働者の求人を示す求人レコードを受け入れ、求人レコードの受信に応答して、求人レコードの指示を複数の人材派遣コンピュータシステムに提出し、複数の人材派遣コンピュータシステムから複数の志望者レコードを受信し、クライアントベースの管理システムに対して、ユーザに表示されるべき複数の志望者レコードを識別し、ユーザから受信される指示に基づいて選択されている志望者の紹介を決定し、指示に応答して、交換構成要素によって、クライアントベースの管理システム内で選択されている志望者のオンボーディングを実行するように構成されている、インターフェースとを備えるシステムを提供する。
【００１５】
１つの実施形態によれば、システムは、選択された志望者が紹介された後、紹介された志望者に関連付けられるタイムシートデータを記憶するように適合された構成要素をさらに備える。別の実施形態によれば、システムは、ユーザが、紹介された志望者に関連付けられる記憶されているタイムシートデータを検討することを可能にするように適合されたクライアントインターフェース構成要素をさらに備える。別の実施形態によれば、交換構成要素は、紹介された志望者に関連付けられたタイムシートデータを記憶する。
【００１６】
別の実施形態によれば、クライアントベースの管理システムへのインターフェースは、被雇用者管理システム内に実装されたプログラムインターフェースである。別の実施形態によれば、交換構成要素は、記憶されているタイムシートデータに基づいてクライアントへの請求書を生成するように適合された構成要素をさらに備える。別の実施形態によれば、交換構成要素は、クライアントからの支払いの受領に応答して、紹介された志望者に関連付けられた人材派遣会社に自動的に支払うように適合された支払い構成要素を含む。
【００１７】
別の実施形態によれば、交換構成要素はさらに、求人レコードと複数の一時労働者レコードのうちの少なくとも１つとの一致について一時労働者のプールの中で検索機能を実行するように構成される。別の実施形態によれば、交換構成要素は、プログラムインターフェースを通じて複数の人材派遣コンピュータシステムで求人レコードを作成するように適合されている。別の実施形態によれば、作成された求人レコードは、所定の期間にわたって、複数の人材派遣コンピュータシステムのうちの選択された数に対してアクティブである。
【００１８】
別の実施形態によれば、システムは、ユーザが複数の一時労働者レコードを閲覧することを可能にするインターフェースをさらに備え、各レコードは、紹介可能な一時労働者のプールからの１人の一時労働者に関連付けられる。別の実施形態によれば、システムは、少なくとも１つの一時労働者レコードに関連付けられる採用担当者の指示をさらに備え、採用担当者の指示は、関連付けられる採用担当者の少なくとも１つのパフォーマンスパラメータを含む。
【００１９】
別の実施形態によれば、記憶されているタイムシートデータに基づいてクライアントへの請求書を生成するように適合された構成要素は、制御入力の選択に応答してクライアントがタイムシートデータを取り出すことを可能にする構成要素をさらに含む。別の実施形態によれば、制御入力は、請求書の表現内にリンクを含む。別の実施形態によれば、システムは、一時労働者紹介インターフェースをユーザが閲覧することを可能にするインターフェースをさらに備え、紹介インターフェースは、一時的なポジションおよび割り当てられる一時労働者の指示と関連付けられるパラメータを含む。
【００２０】
本発明の１つの態様によれば、分散コンピュータシステムが提供される。システムは、ネットワークインターフェースと、データベースと、ネットワークインターフェースを介して雇用者コンピュータシステムおよび人材派遣会社コンピュータシステムに結合されている交換構成要素とを備え、交換システムは、データベース内に、複数の求人レコードを記憶することであって、複数の求人レコードの各々は複数の求人のうちの１つと関連付けられている、記憶することと、複数の求人レコードを、雇用者コンピュータシステムによって記憶されている１つまたは複数の求人のデータセットと同期させることであって、同期させることは、雇用者コンピュータシステムによって記憶されている１つまたは複数の求人のデータセット内で、複数の求人に含まれない新しい求人を識別すること、および、データベース内に新しい求人レコードを生成することを含み、新しい求人レコードは新しい求人と関連付けられる、同期させることと、人材派遣会社コンピュータシステムに、新しい求人レコードへのアクセスを提供することと、データベース内で一時労働者レコードのプールを維持することであって、一時労働者レコードの各々は、志望者として紹介可能な複数の一時労働者のうちの１人に関連付けられている、維持することと、複数の一時労働者のうちの１人の一時労働者を、新しい求人と照合することとを行うように構成されている。
【００２１】
１つの実施形態によれば、交換構成要素は、雇用者コンピュータシステムによって使用される応募追跡システム（ＡＴＳ）に結合される。別の実施形態によれば、交換構成要素はさらに、一時労働者を新しい求人と照合することに応答して、一時労働者と関連付けられる複数の一時労働者レコードのそれぞれから、雇用者コンピュータシステムに一時労働者に関する情報を送信するように構成される。
【００２２】
別の実施形態によれば、交換構成要素は、ネットワークインターフェースを介して、雇用者コンピュータシステムから一時労働者が雇用されたという指示を受信するようにさらに構成される。１つの実施形態によれば、交換構成要素はさらに、雇用者コンピュータシステムからの一時労働者が雇用されたという指示の受信に応答して、ネットワークインターフェースを介して、人材派遣コンピュータシステムに、一時労働者が雇用されたことを示す指示を送信し、ネットワークインターフェースを介して人材派遣コンピュータシステムからの受け入れの指示を受信し、ネットワークインターフェースを介して人材派遣コンピュータシステムからの受け入れの指示を雇用者コンピュータシステムに送信し、ネットワークインターフェースを介して、雇用者コンピュータシステムから雇用プロセスの完了の指示を受信し、データベース内に、求人への一時労働者の紹介を指定する情報を記憶するように構成されている。
【００２３】
別の実施形態によれば、人材派遣コンピュータシステムに新しい求人レコードへのアクセスを提供することは、人材派遣コンピュータシステムのユーザが新しい求人に対し志望者を提出することを可能にするユーザインターフェースを生成することを含む。１つの実施形態によれば、交換構成要素は、ユーザインターフェースを介して、新しい求人への一時労働者の提出を受信し、この提出の受信に応答して一時労働者を新しい求人と照合するようにさらに構成される。１つの実施形態によれば、交換構成要素は、雇用者コンピュータシステムによって使用される応募者追跡システム（ＡＴＳ）における志望者ステータスの変化に応答して、雇用者コンピュータシステムから志望者ステータスへの更新の指示を受信するようにさらに構成される。
【００２４】
別の実施形態によれば、交換構成要素は、新しい求人の推薦先である１つまたは複数の人材派遣会社を決定することであって、１つまたは複数の人材派遣会社は人材派遣会社コンピュータシステムに関連付けられる人材派遣会社を含む、決定することと、１つまたは複数の人材派遣会社の決定に応答して、人材派遣会社コンピュータシステムに新しい求人の指示を送信することとを行うようにさらに構成されている。１つの実施形態によれば、交換構成要素は、ユーザが、新しい求人の推薦先である１つまたは複数の人材派遣会社を選択することを可能にするユーザインターフェースを生成し、ユーザインターフェースを介して１つまたは複数の人材派遣会社のユーザ選択を受信し、受信したユーザ選択に基づいて１つまたは複数の人材派遣会社を決定するようにさらに構成されている。
【００２５】
別の実施形態によれば、交換構成要素は、データベース内で、一時労働者が新しい求人レコードに一致したときにその一時労働者に関連付けられた一時労働者レコードの志望者ステータスを維持するようにさらに構成される。１つの実施形態によれば、交換構成要素は、雇用者コンピュータシステムから志望者ステータスへの更新の指示を受信し、志望者ステータスへの更新の指示の受信に応答してデータベース内の一時労働者の志望者ステータスを更新するようにさらに構成される。
【００２６】
本発明の別の態様によれば、雇用者コンピュータシステムと人材派遣会社コンピュータシステムを統合するためのコンピュータ実施方法が提供される。本方法は、データベース内に、複数の求人レコードを記憶することであって、複数の求人レコードの各々は複数の求人のうちの１つと関連付けられている、記憶することと、複数の求人レコードを、雇用者コンピュータシステムによって記憶されている１つまたは複数の求人のデータセットと同期させることであって、同期させることは、雇用者コンピュータシステムによって記憶されている１つまたは複数の求人のデータセット内で、複数の求人に含まれない新しい求人を識別すること、および、データベース内に新しい求人レコードを生成することを含み、新しい求人は新しい求人と関連付けられる、同期させることと、人材派遣会社コンピュータシステムに、新しい求人レコードへのアクセスを提供することと、データベース内で一時労働者レコードのプールを維持することであって、一時労働者レコードの各々は、志望者として紹介可能な一時労働者のうちの１人に関連付けられている、維持することと、複数の一時労働者のうちの１人の一時労働者を、新しい求人と照合することとを含む。
【００２７】
別の実施形態によれば、方法は、ネットワークインターフェースを介して、雇用者コンピュータシステムから一時労働者が雇用されたという指示を受信することをさらに含む。１つの実施形態によれば、方法は、雇用者コンピュータシステムからの一時労働者が雇用されたという指示の受信に応答して、ネットワークインターフェースを介して、人材派遣コンピュータシステムに、一時労働者が雇用されたことを示す指示を送信することと、ネットワークインターフェースを介して人材派遣コンピュータシステムからの受け入れの指示を受信することと、ネットワークインターフェースを介して人材派遣コンピュータシステムからの受け入れの指示を雇用者コンピュータシステムに送信することと、ネットワークインターフェースを介して、雇用者コンピュータシステムから雇用プロセスの完了の指示を受信することと、データベース内に、求人への一時労働者の紹介を指定する情報を記憶することとをさらに含む。
【００２８】
別の実施形態によれば、人材派遣コンピュータシステムに新しい求人レコードへのアクセスを提供することは、人材派遣コンピュータシステムのユーザが新しい求人に対し志望者を提出することを可能にするユーザインターフェースを生成することを含む。１つの実施形態によれば、方法は、ユーザインターフェースを介して、新しい求人への一時労働者の提出を受信することと、その提出の受信に応答して、複数の一時労働者のプールから一時労働者を照合することとをさらに含む。
【００２９】
別の実施形態によれば、方法は、新しい求人の推薦先である１つまたは複数の人材派遣会社を決定することであって、１つまたは複数の人材派遣会社は人材派遣会社コンピュータシステムに関連付けられる人材派遣会社を含む、決定することと、１つまたは複数の人材派遣会社の決定に応答して、人材派遣会社コンピュータシステムに新しい求人の指示を送信することとをさらに含む。１つの実施形態によれば、方法は、ユーザが、新しい求人の推薦先である１つまたは複数の人材派遣会社を選択することを可能にするユーザインターフェースを生成することと、１つまたは複数の人材派遣会社のユーザ選択を受信することと、受信したユーザ選択に基づいて１つまたは複数の人材派遣会社を決定することとをさらに含む。
【００３０】
本発明の別の態様によれば、コンピュータシステム上で実行するための命令によって符号化されている不揮発性コンピュータ可読媒体が提供される。命令は、コンピュータシステムによって実行されると、コンピュータシステムに方法を実施させ、本方法は、データベース内に、複数の求人レコードを記憶することであって、複数の求人レコードの各々は複数の求人のうちの１つと関連付けられている、記憶することと、複数の求人レコードを、雇用者コンピュータシステムによって記憶されている１つまたは複数の求人のデータセットと同期させることであって、同期させることは、雇用者コンピュータシステムによって記憶されている１つまたは複数の求人のデータセット内で、複数の求人に含まれない新しい求人を識別すること、および、データベース内に新しい求人レコードを生成することを含み、新しい求人は新しい求人と関連付けられる、同期させることと、人材派遣会社コンピュータシステムに、新しい求人レコードへのアクセスを提供することと、データベース内で一時労働者レコードのプールを維持することであって、一時労働者レコードの各々は、志望者として紹介可能な複数の一時労働者のうちの１人に関連付けられている、維持することと、複数の一時労働者のうちの１人の一時労働者を、新しい求人と照合することとを含む。
【００３１】
１つの実施形態によれば、方法は、一時労働者を新しい求人と照合することに応答して、一時労働者と関連付けられる複数の一時労働者レコードのうちの１つから、雇用者コンピュータシステムに一時労働者に関する情報を送信することをさらに含む。
【００３２】
本発明の１つの態様によれば、分散システムが提供される。分散コンピュータシステムは、ネットワークインターフェースと、データベースと、ネットワークインターフェースを介して雇用者コンピュータシステムおよび人材派遣会社コンピュータシステムに結合されている交換構成要素とを備え、交換構成要素はさらに、ネットワークインターフェースを介して、雇用者コンピュータシステムから志望者が求人に雇用されたという第１の指示を受信し、雇用者コンピュータシステムからの志望者が求人に雇用されたという第１の指示の受信に応答して、ネットワークインターフェースを介して、志望者が雇用されたという第２の指示を人材派遣会社コンピュータシステムに送信し、ネットワークインターフェースを介して、雇用者コンピュータシステムから求人への志望者の紹介が完了したという第３の指示を受信し、志望者の紹介が完了したという指示の受信に応答して、データベース内に、雇用された志望者に関連付けられた労働者のレコードを記憶し、データベース内に、雇用者コンピュータシステムのユーザに関連付けられた承認者のレコードを記憶するように構成されている。
【００３３】
１つの実施形態によれば、交換構成要素は、雇用者コンピュータシステムによって使用される応募者追跡システム（ＡＴＳ）内の志望者と関連付けられるステータスが雇用済みに変化していることに応答して、志望者が求人に雇用されたという第１の指示を受信するようにさらに構成される。
【００３４】
別の実施形態によれば、交換構成要素は、ネットワークインターフェースを介して、雇用された志望者によって使用されるクライアントシステムにさらに結合される。１つの実施形態によれば、交換構成要素は、提出されたタイムシートの指示をクライアントシステムから受信するようにさらに構成される。１つの実施形態によれば、交換構成要素は、提出されたタイムシートの指示を雇用者コンピュータシステムのユーザに送信するようにさらに構成される。１つの実施形態によれば、交換構成要素は、雇用者コンピュータシステムのユーザによるタイムシートの承認の指示を雇用者コンピュータシステムから受信し、承認されたタイムシートをデータベースに記憶するようにさらに構成される。１つの実施形態によれば、交換構成要素は、ネットワークインターフェースを介して、雇用者コンピュータシステムから雇用者コンピュータシステムのユーザによるタイムシートの拒絶の指示を受信し、ネットワークインターフェースを介して、雇用された志望者によって使用されるクライアントシステムに、拒絶されたタイムシートの指示を送信するようにさらに構成される。
【００３５】
別の実施形態によれば、交換構成要素は、提出されたタイムシートに基づいて請求書を生成するようにさらに構成される。１つの実施形態によれば、交換構成要素は、ネットワークインターフェースを介して、雇用者コンピュータシステムによって使用される自動支払いシステムに請求書を送信するようにさらに構成される。１つの実施形態によれば、交換構成要素は、ネットワークインターフェースを介して、請求書の送信に応答して雇用者コンピュータシステムから支払いを受け取り、ネットワークインターフェースを介して、人材派遣会社コンピュータシステムに関連付けられている人材派遣会社の口座に送金するようにさらに構成される。
【００３６】
本発明の別の態様によれば、雇用者コンピュータシステムと人材派遣会社コンピュータシステムを統合するコンピュータ実施方法が提供される。方法は、ネットワークインターフェースを介して、雇用者コンピュータシステムから志望者が求人に雇用されたという第１の指示を受信することと、雇用者コンピュータシステムからの志望者が求人に雇用されたという第１の指示の受信に応答して、ネットワークインターフェースを介して、志望者が雇用されたという第２の指示を人材派遣会社コンピュータシステムに送信することと、ネットワークインターフェースを介して、雇用者コンピュータシステムから求人への志望者の紹介が完了したという第３の指示を受信することと、志望者の紹介が完了したという指示の受信に応答して、データベース内に、雇用された志望者に関連付けられた労働者のレコードを記憶することと、データベース内に、雇用者コンピュータシステムのユーザに関連付けられた承認者のレコードを記憶することとを含む。
【００３７】
別の実施形態によれば、方法は、ネットワークインターフェースを介して、雇用された志望者によって使用されるクライアントシステムから提出されたタイムシートの指示を受信することをさらに含む。１つの実施形態によれば、方法は、ネットワークインターフェースを介して、提出されたタイムシートの指示を雇用者コンピュータシステムのユーザに送信することをさらに含む。１つの実施形態によれば、方法は、ネットワークインターフェースを介して、雇用者コンピュータシステムから雇用者コンピュータシステムのユーザによるタイムシートの承認の指示を受信することと、承認されたタイムシートをデータベース内に記憶することとをさらに含む。１つの実施形態によれば、方法は、ネットワークインターフェースを介して、雇用者コンピュータシステムから雇用者コンピュータシステムのユーザによるタイムシートの拒絶の指示を受信することと、ネットワークインターフェースを介して、雇用された志望者によって使用されるクライアントシステムに、拒絶されたタイムシートの指示を送信することとをさらに含む。
【００３８】
別の実施形態によれば、方法は、提出されたタイムシートに基づいて請求書を生成することをさらに含む。１つの実施形態によれば、方法は、ネットワークインターフェースを介して、雇用者コンピュータシステムによって使用される自動支払いシステムに請求書を送信することをさらに含む。１つの実施形態によれば、方法は、ネットワークインターフェースを介して、請求書の送信に応答して雇用者コンピュータシステムから支払いを受信することと、ネットワークインターフェースを介して、人材派遣会社コンピュータシステムに関連付けられている人材派遣会社の口座に送金することとをさらに含む。
【００３９】
本発明の別の態様によれば、コンピュータシステム上で実行するための命令によって符号化されている不揮発性コンピュータ可読媒体が提供される。命令は、実行されると、コンピュータシステムに方法を実施させ、方法は、ネットワークインターフェースを介して、雇用者コンピュータシステムから志望者が求人に雇用されたという第１の指示を受信することと、雇用者コンピュータシステムからの志望者が雇用されたという第１の指示の受信に応答して、ネットワークインターフェースを介して、志望者が雇用されたという第２の指示を人材派遣会社コンピュータシステムに送信することと、ネットワークインターフェースを介して、雇用者コンピュータシステムから求人への志望者の紹介が完了したという第３の指示を受信することと、志望者の紹介が完了したという指示の受信に応答して、データベース内に、雇用された志望者に関連付けられた労働者のレコードを記憶することと、データベース内に、雇用者コンピュータシステムのユーザに関連付けられた承認者のレコードを記憶することとを含む。
【００４０】
別の実施形態によれば、方法は、ネットワークインターフェースを介して、雇用された志望者によって使用されるクライアントシステムから提出されたタイムシートの指示を受信することをさらに含む。
【００４１】
これらの例示的な態様および例のさらに他の態様、例、および利点について、以下で詳細に説明する。さらに、前述の情報と以下の詳細な説明の両方は、様々な態様および例の単なる例示であり、特許請求される態様および例の性質および特徴を理解するための概要または枠組みを提供することを意図していることを理解されたい。本明細書に開示される任意の例は、本明細書に開示される目的、目標、および需要のうちの少なくとも１つと一致する任意の方法で任意の他の例と組み合わされてもよく、「一例」、「いくつかの例」、「代替的な例」、「様々な例、「１つの例」、「少なくとも１つの例」、「この例および他の例」などに対する参照は必ずしも相互に排他的ではなく、その例に関連して説明されている特定の特徴、構造、または特性が少なくとも１つの例に含まれ得ることを示すように意図されている。本明細書においてこのような用語が見られる場合、これらは必ずしもすべてが同じ例を参照しているとは限らない。
【００４２】
少なくとも１つの例の様々な態様は、添付の図面を参照して以下で議論され、これらの図面は、縮尺通りに描かれることを意図していない。図面は、様々な態様および例の図解およびさらなる理解を提供するために含まれ、本明細書に組み込まれ、その一部を構成するが、特定の例の限定の規定としては意図されていない。図面は、明細書の残りの部分とともに、説明および特許請求されている態様および例の原理および動作を説明するのに役立つ。図面において、様々な図面に示されている同一またはほぼ同一の各構成要素は、同様の符号で表されている。明確にするために、すべての構成要素がすべての図面でラベル付けされていない場合がある。
【図面の簡単な説明】
【００４３】
【図１】本発明の様々な態様を実施することができる分散コンピュータシステムのブロック図である。
【図２】本発明の１つの実施形態による一時労働者を処理するための例示的なプロセスを示す図である。
【図３Ａ】本発明の１つの実施形態による一時労働者を管理するためのプロセスのより詳細なセットを示す図である。
【図３Ｂ】本発明の１つの実施形態による一時労働者を管理するためのプロセスのより詳細なセットを示す図である。
【図４Ａ】本発明の様々な実施形態による、分散コンピュータシステムにおいて一時的な仕事を作成するための例示的なプロセスを示す図である。
【図４Ｂ】本発明の様々な実施形態による、分散コンピュータシステムにおいて一時的な仕事を作成するための例示的なプロセスを示す図である。
【図５Ａ】本発明の１つの実施形態による、分散コンピュータシステムにおいて一時労働者を紹介するための例示的なプロセスを示す図である。
【図５Ｂ】本発明の１つの実施形態による、分散コンピュータシステムにおいて一時労働者を紹介するための例示的なプロセスを示す図である。
【図５Ｃ】本発明の１つの実施形態による、分散コンピュータシステムにおいて一時労働者を紹介するための例示的なプロセスを示す図である。
【図６Ａ】本発明の様々な態様による、複数のシステム間で紹介ハンドシェイクを実行するための別の例示的な詳細プロセスを示す図である。
【図６Ｂ】本発明の様々な態様による、複数のシステム間で紹介ハンドシェイクを実行するための別の例示的な詳細プロセスを示す図である。
【図７Ａ】本発明の様々な態様による複数のシステム間でタイムシートを処理および承認するための例示的なプロセスを示す図である。
【図７Ｂ】本発明の様々な態様による複数のシステム間でタイムシートを処理および承認するための例示的なプロセスを示す図である。
【図８Ａ】本発明の１つの実施形態による、一時労働者に関連して複数のシステム間で請求書発行および支払いを実行するための例示的なプロセスを示す図である。
【図８Ｂ】本発明の１つの実施形態による、一時労働者に関連して複数のシステム間で請求書発行および支払いを実行するための例示的なプロセスを示す図である。
【図９】本発明の様々な実施形態による、求人を提出するための例示的なユーザインターフェース画面を示す図である。
【図１０】本発明の様々な実施形態による、志望者を提出するための例示的なユーザインターフェース画面を示す図である。
【図１１Ａ】本発明の様々な実施形態による、志望者提出を検討するための例示的なユーザインターフェース画面を示す図である。
【図１１Ｂ】本発明の様々な実施形態による、志望者提出を検討するための例示的なユーザインターフェース画面を示す図である。
【図１１Ｃ】本発明の様々な実施形態による、志望者提出を検討するための例示的なユーザインターフェース画面を示す図である。
【図１２Ａ】本発明の様々な実施形態による、好ましい供給元を選択するための例示的なユーザインターフェース画面を示す図である。
【図１２Ｂ】本発明の様々な実施形態による、好ましい供給元を選択するための例示的なユーザインターフェース画面を示す図である。
【図１３Ａ】本発明の様々な実施形態による、志望者に仕事を紹介するための例示的なユーザインターフェース画面を示す図である。
【図１３Ｂ】本発明の様々な実施形態による、志望者に仕事を紹介するための例示的なユーザインターフェース画面を示す図である。
【図１４Ａ】本発明の様々な実施形態による、タイムシートを提出および承認するための例示的なユーザインターフェース画面を示す図である。
【図１４Ｂ】本発明の様々な実施形態による、タイムシートを提出および承認するための例示的なユーザインターフェース画面を示す図である。
【図１５】本明細書に開示されるプロセスおよび機能を実行するように特別に構成され得る例示的なコンピュータシステムの概略図である。
【発明を実施するための形態】
【００４４】
詳細な説明
本明細書では、志望者の紹介に関与する複数の異なるコンピュータシステムを統合するシステムの実施形態を説明する。例えば、システムは、複数の異なる事業体（例えば、雇用会社、採用担当者）のコンピュータシステムが労働者データレコードにアクセスすることができるように、労働者データレコードの記憶を一元化することができる。労働者レコードは、例えば、労働者の識別情報、中央データベースにおける労働者の一意の識別子、労働者の資格、労働者の給与要件、労働者の希望勤務地、および労働者に関する他の情報を含み得る。
【００４５】
いくつかの実施形態によれば、システムは、複数の異なるコンピュータシステムへのインターフェースを含むことができる。例えば、システムは、クライアントベースのコンピュータシステムへのインターフェースを含むことができ、それを介して、システムは、会社が労働者を必要とする仕事の求人レコードを受信することができる。このシステムは、人材派遣事業体（例えば、採用担当者、人材派遣会社）によって使用されるコンピュータシステムとのインターフェースをさらに含むことができる。クライアントコンピュータシステムからの求人レコードの受信に応答して、システムは、求人レコードの指示を人材派遣コンピュータシステムに提出することができる。システムは、例えば、インターフェースを介して人材派遣コンピュータシステムに求人レコードの指示を送信することができる。いくつかの実施形態では、システムはさらに、人材派遣コンピュータシステムから志望者レコードを受信することができる（例えば、人材派遣コンピュータシステムとのインターフェースを介して）。システムは、これらの志望者レコードへのアクセスを（例えば、１つまたは複数の雇用会社の）クライアントコンピュータシステムに提供することができる。いくつかの実施形態によれば、システムはさらに、クライアントコンピュータシステム（複数可）のユーザに表示する特定の志望者レコードを識別することができる。
【００４６】
いくつかの実施形態によれば、システムはさらに、選択された志望者の紹介を決定することができる。例えば、システムは、クライアントベースのコンピュータシステムへのインターフェースを介して、志望者が求人に紹介されたという指示を受信することができる。システムは、システムの中央データベース内に、求人への志望者の紹介を記憶することができる。いくつかの実施形態では、指示の受信に応答して、システムはさらに、志望者の紹介に関連付けられたオンボーディング機能（複数可）を実行することができる。オンボーディング機能は、志望者のコンピュータシステム、会社の一員（管理者など）のコンピュータシステム、雇用会社のコンピュータシステム、および／または人材派遣会社コンピュータシステムの間のやり取りを伴い得る。いくつかの実施形態によれば、システムは、複数のコンピュータシステムとやり取りして、オンボーディング機能を実施または実施を促進することができる。これらのオンボーディング機能は、例えば、雇用会社、人材派遣事業体、および／または雇用された労働者の間の紹介ハンドシェイクの遂行を含むことができる。
【００４７】
本発明者らは、まったく異なるソフトウェアアプリケーションを使用する複数の異なるコンピュータシステムにわたって志望者レコード、労働者レコード、および求人レコードを管理するための様々な技術的課題を認識および理解している。オープンジョブへの志望者の紹介に関与する種々の当事者は、各々が別個のコンピュータシステム（複数可）および別個のソフトウェアアプリケーション（複数可）を使用する場合がある。これらのシステムが相互にやり取りすることができないと、コンピュータシステムおよびソフトウェアアプリケーションは、志望者の紹介に関連付けられるいくつかの機能を実行することができない（例えば、紹介ハンドシェイクの遂行）。
【００４８】
本発明者らは、雇用プロセスに関与する複数の事業体によって使用される従来のシステム（例えば、異なるコンピュータシステムおよび異なるソフトウェアアプリケーション）が互いにやり取りすることができないことを認識および理解している。１つの事例において、（１）オープンジョブを募集しようとする企業は、志望者レコードおよび求人レコードを管理するために、第１のソフトウェアアプリケーションを利用する雇用コンピュータシステムを使用する場合があり、（２）採用担当者は、志望者レコードおよび求人レコードを管理するために、第２のソフトウェアアプリケーションを利用する人材派遣コンピュータシステムを使用する場合があり、（３）求職者は、オープンジョブを検索しこれに応募するために、クライアントデバイスを使用する場合がある。オープンジョブへの労働者の紹介を管理するには、雇用プロセス全体にわたって、求人レコードおよび／または志望者レコード（複数可）を記憶、追跡、および更新するために、会社、採用担当者、および求職者のシステム間での協調が必要となり得る。さらに、労働者を求人に紹介するためには、すべてのシステムにわたって志望者紹介プロセスを更新するために、システムを協調させる必要がある場合がある。
【００４９】
本発明者らは、様々なコンピュータシステムおよび／またはアプリケーションが互いにやり取りすることを可能にするシステムの必要性を認識および理解している。このようなやり取りを可能にすることによって、志望者の紹介に関与する事業体（例えば、会社、採用担当者、および／または求職者）が利用する従来のコンピュータシステムおよびアプリケーションでは以前は実行することができなかった機能を実行することが可能になり得る。そのようなシステムにより、採用担当者が、第１のコンピュータシステムとソフトウェアアプリケーションを使用して、雇用会社が使用する第２のコンピュータシステムおよびソフトウェアアプリケーションにおける求人に志望者を提出することが可能になり得る。システムはさらに、第１のコンピュータシステムおよび第２のコンピュータシステムによって実行することができないリアルタイム志望者追跡およびレコード更新を可能にすることができる。さらに、そのようなシステムは、複数の異なるシステムがハンドシェイクプロセスを遂行することを可能にすることにより、仕事への志望者の紹介を遂行することができる。
【００５０】
本発明者らは、まったく異なるコンピュータシステムおよびソフトウェアアプリケーションの間のやり取りを可能にするシステムが、さらに、志望者が紹介された後の機能の実行を可能にし得ることを認識および理解している。例えば、雇用会社、労働者、および雇用会社に労働者を紹介する採用担当者は、様々な雇用後活動のためにやり取りする必要がある場合がある。そのような活動は、志望者紹介プロセスを完了するために当事者が使用する複数のコンピュータシステム間でハンドシェイクを実行することを含み得る。複数の事業体によって使用されるまったく異なるコンピュータシステムおよびソフトウェアアプリケーションを統合することにより、システムは紹介後機能を実行することを可能にすることができる。さらに、紹介後活動は、雇用者および／または労働者のコンピュータシステムから労働者のパフォーマンスに関連するデータを収集すること、ならびに、そのデータを使用して人材派遣会社（採用担当者など）に資金を自動的に分配することも含み得る。
【００５１】
本発明者らはまた、複数の異なる事業体によって使用されるまったく異なるコンピュータシステムおよびソフトウェアアプリケーションが、各コンピュータシステム内の情報にアクセスし、その情報を追跡、および更新することができないことも認識している。例えば、雇用会社の各々は雇用会社のコンピュータシステムにおいて志望者に対する自社のレコードを管理する場合があり、一方で、採用担当者は採用担当者のコンピュータシステムにおいてその志望者の別個のレコードを管理する場合がある。従来のシステムは各々、志望者の紹介および仕事に関連付けられるデータレコードを別個に記憶、追跡、および更新し得るが、本発明者らは、コンピュータシステムを統合して、中央データセットを維持し、他のコンピュータシステム内のデータレコードをより迅速に更新および追跡することを可能にすることができるシステムの必要性を認識している。これにより、志望者レコード、仕事レコード、および他の情報をより正確に維持することができるコンピュータシステムが提供される。さらに、このシステムは、レコードを維持および更新するために人材派遣コンピュータシステムおよび雇用者コンピュータシステムの各々が必要とするストレージおよび計算の量を削減し得る。
【００５２】
複数のまったく異なるコンピュータシステムを統合する交換システムの様々な実施形態を以下に説明する。交換システムは、志望者紹介および志望者紹介の完了に関連付けられる様々な機能の実行を可能にし、実行することができる。交換システムはさらに、まったく異なるコンピュータシステムが、他の方法ではコンピュータシステムにとって利用することができない情報にアクセスすることを可能にするストレージ能力を提供することができる。特定の実施形態が記載されているが、それらの実施形態は、本明細書に記載の原理の理解を助けるための例示であり、他の実施形態も可能であることを理解されたい。実施形態は、以下に示す例のいずれかに従って動作することに限定されない。
【００５３】
１つの実施態様によれば、管理インターフェース内に事業体間の複雑な関係を記憶および提示することができるシステムが提供される。例えば、ネットワーク通信機器、サーバ、デスクトップ、アプリケーションおよび他の資産などの資産間には複雑な関係が存在する可能性があることが理解される。さらに、これらの特定の資産が提供する様々な機能的態様を記録および視覚化することが一助となる場合があることを理解されたい。
【００５４】
いくつかの実施形態によれば、システムは、ネットワークインターフェース、データベース、および交換構成要素を含む分散コンピュータシステムを含むことができる。交換構成要素は、ネットワークインターフェースを介して１つまたは複数の雇用者コンピュータシステムおよび１つまたは複数の人材派遣コンピュータシステムに結合することができる。交換構成要素は、１つまたは複数のそれぞれの求人に関連付けられた１つまたは複数の求人レコードを記憶することができる。求人は、オープンジョブのポジションおよび／または労働者がポジションを補充する必要性を指定する情報を含むことができる。交換構成要素は、記憶されている求人レコードを、雇用者コンピュータシステムによって記憶されている求人のデータセットと同期させることができる。例えば、雇用者システムは、アプリケーション（例えば、ＡＴＳ）を使用して、雇用者が補充する必要のある職位への求人を記憶することができる。交換構成要素は、記憶されている求人レコードを、雇用者コンピュータシステムのアプリケーションによって記憶されている求人と同期させることができる。
【００５５】
いくつかの実施形態によれば、求人レコードを同期するために、交換構成要素は、交換構成要素が以前に求人レコードを記憶していない、雇用者コンピュータシステムによって記憶されている新しい求人を識別することができる。この場合、交換構成要素は、新しい求人に関連付けられるデータベース内に新しい求人レコードを生成することができる。交換構成要素は、新たに生成されたレコードに新しい求人に関する情報（例えば、技能要件情報、開始日、場所、給与、雇用の条件）を記憶することができる。交換構成要素はさらに、人材派遣コンピュータシステムが新しい求人レコードにアクセスすることができるようにすることができる。例えば、交換構成要素は、新しい求人レコードの人材派遣コンピュータシステムの指示を送信することができる。
【００５６】
いくつかの実施形態では、交換構成要素は、システムのデータベース内に一時労働者レコードのプールを維持することができる。交換構成要素は、求人（例えば、新しい求人）の志望者として紹介可能な複数の一時労働者の各々の一時労働者レコードをプール内に維持することができる。交換構成要素は、一時労働者を新しい求人と照合することができる。交換構成要素が一時労働者と一致する場合、交換構成要素は、その労働者に関連付けられた一時労働者レコードからその労働者に関する情報を、雇用者コンピュータシステム（例えば、雇用者コンピュータシステムによって使用されるＡＴＳ）に送信することができる。
【００５７】
いくつかの実施形態では、交換構成要素は、人材派遣コンピュータシステムのユーザが、新しい求人レコードを閲覧し、新しい求人への志望者を提出することを可能にするユーザインターフェースを生成することができる。交換構成要素は、ユーザインターフェースを介して、新しい求人への一時労働者の提出を受信することができる。一部の実施形態では、交換構成要素は、人材派遣コンピュータシステムから一時労働者の提出が受信されたときに、一時労働者を新しい求人と照合することができる。
【００５８】
いくつかの実施形態では、交換構成要素はさらに、新たな求人の推薦先である１つまたは複数の人材派遣会社を決定することができる。例えば、交換構成要素は、交換構成要素が結合されている人材派遣コンピュータシステムに関連付けられる人材派遣会社に新しい求人を推薦することを決定することができる。交換構成要素は、新しい求人の推薦先となる１つまたは複数の人材派遣会社を決定したときに、新しい求人の指示を人材派遣コンピュータシステムに送信することができる。いくつかの実施形態では、交換構成要素は、それを介してユーザが１つまたは複数の人材派遣会社を選択することができるユーザインターフェースを生成することができる。交換構成要素は、ユーザインターフェースを介して、選択された人材派遣会社のユーザ選択を受信する。交換構成要素は、受信したユーザ選択に基づいて、１つまたは複数の人材派遣会社に新しい求人を推薦することを決定することができる。
【００５９】
いくつかの実施形態では、交換構成要素はさらに、雇用者コンピュータシステムとやり取りして、提出された志望者に関するステータス更新を受信することができる。１つの実施形態では、交換構成要素は、新しい求人向けに提出された一時労働者が雇用されたという指示を雇用者コンピュータシステムから（例えば、ＡＴＳから）受信することができる。いくつかの実施形態では、交換構成要素がそのような指示を受信すると、交換構成要素は、雇用者コンピュータシステムと人材派遣コンピュータシステムとの間で紹介プロセス（例えば、ハンドシェイク）を実行することができる。
【００６０】
いくつかの実施形態によれば、システムは、付加的または代替的に、志望者の紹介後（例えば、雇用された志望者が雇用者の下で仕事を始めた後）の機能を実施するために、まったく異なるコンピュータシステム間のやり取りを可能にすることができる。いくつかの実施形態において、交換構成要素は、志望者が雇用されたという指示を雇用者コンピュータシステムから（例えば、雇用者コンピュータシステムによって使用されるＡＴＳから）受信することができる。それに応答して、交換構成要素は、志望者が雇用されたという指示を人材派遣コンピュータシステムに送信することができる。交換構成要素はさらに、志望者紹介が完了したことを示す雇用者コンピュータシステムから、指示を受信することができる。交換構成要素は、志望者紹介が完了したという指示を受信すると、データベース内に、（１）雇用された志望者に関連付けられた労働者のレコード、および（２）雇用者コンピュータシステムのユーザに関連付けられた承認者のレコードを記憶することができる。承認者は、例えば、監督者、雇用管理者、または雇用者に関連付けられる他のユーザである場合がある。
【００６１】
いくつかの実施形態では、交換構成要素は、ネットワークインターフェースを介して、雇用された志望者によって使用されるクライアントコンピュータシステムにさらに結合することができる。交換構成要素は、クライアントコンピュータシステムから、雇用された志望者のタイムシート提出の指示を受信することができる。交換構成要素は、例えば、タイムシートデータを受信し、システムのデータベース内にタイムシートデータを記憶することができる。いくつかの実施形態では、交換構成要素は、雇用された志望者が雇用された志望者によって行われる労働に関する勤務時間、勤務日（複数可）、為された作業、および他の情報のレコードを入力することができるユーザインターフェースを生成することができる。ユーザインターフェースは、例えば、ユーザが情報を入力することができるタイムシートを含んでもよい。
【００６２】
いくつかの実施形態では、交換構成要素が雇用された志望者（例えば、クライアントコンピュータシステムのユーザ）からタイムシート提出の指示を受信すると、交換構成要素は、提出されたタイムシートの指示を雇用者コンピュータシステムのユーザ（例えば、管理者）に送信することができる。交換構成要素により、雇用コンピュータシステムのユーザは、タイムシートを検討することが可能になり得る。例えば、交換構成要素は、それを介してユーザがタイムシートを承認し、タイムシートを拒絶し、および／または雇用された志望者がタイムシートを編集するように要求することができるユーザインターフェースを生成することができる。ある場合では、交換構成要素は、管理者がタイムシートを承認したという指示を受信する場合がある（例えば、ユーザインターフェースを介して）。この場合、交換構成要素は承認されたタイムシートを記憶することができる。別の場合では、交換構成要素はまた、管理者がタイムシートを拒絶したという指示を受信する場合もある。この場合、交換構成要素は、拒絶されたタイムシートの指示を、雇用された志望者が使用するクライアントコンピュータシステムに送信することができる。雇用された志望者は、その後、タイムシートを編集および／または再提出することができる。
【００６３】
いくつかの実施形態では、交換構成要素はさらに、提出されたタイムシートに基づいて請求書を生成することができる。例えば、提出されたタイムシートが承認されてデータベースに記憶された後、交換構成要素はタイムシートからの情報を使用して請求書を生成することができる。いくつかの実施形態では、交換構成要素はさらに、生成された請求書を、雇用者コンピュータシステムによって使用される自動弁済（ＡＲ）システムに提出することができる。交換構成要素は、ＡＲシステムへの請求書の提出に応答して、雇用者コンピュータシステムから支払いを受け取ることができる。次いで、交換構成要素は、人材派遣会社、および／または交換システムの管理者など、志望者の雇用に関与する１つまたは複数の他の事業体に送金することができる。いくつかの実施形態では、交換構成要素は、事業体（例えば、人材派遣会社）の銀行口座に自動的に送金することができる。
【００６４】
図１は、本発明の様々な態様を実施することができる分散コンピュータシステム１００のブロック図を示す。特に、分散システム１００は、複数のまったく異なるコンピュータシステムを統合し、複数の異なるクライアント（例えば、クライアントＡ（１１０Ａ）、クライアントＢ（１１０Ｂ）、クライアントＣ（１１０Ｃ））の間での労働者（例えば、一時労働者）の紹介、追跡および管理に関する管理機能を促進する交換システム１０１を含む。一般に、ユーザは、１つまたは複数のコンピュータシステム（ＣＳ１１１〜１１８、ＣＳ１３０〜１３９など）上で実行されるクライアントアプリケーションを通じて管理プログラムにアクセスすることができる。終端システムは、例えば、デスクトップコンピュータシステム、モバイルデバイス、タブレット、またはディスプレイを備えた任意の他のコンピュータシステムであり得る。
【００６５】
実施形態のシステムおよび技法は、本明細書では一時労働者を参照して説明されているが、システムおよび技法はこれに関して限定されない。例えば、実施形態はこれに関して限定されないため、本システムおよび技法は、他のタイプの労働者での使用に適合させることができる。例えば、システムおよび技法は、正規雇用された労働者の紹介に適合させることができる。
【００６６】
本発明の様々な態様は、分散コンピュータシステムと、それを通じてユーザがシステムとやり取りして一時労働者の紹介、追跡および支払いを容易にすることができるインターフェースとに関する。このために、クライアントアプリケーションは、ユーザがそれを通じて様々な機能を実行するために分散システムにアクセスする１つまたは複数のインターフェースを含むことができる。分散システムは、様々な管理機能を促進するために、複数のシステムの間に配置された構成要素を含む。
【００６７】
いくつかの実施形態によれば、交換システム１０１は、ユーザのタイプに基づいてユーザに機能を提供することができる。交換システム１０１は、志望者紹介プロセスに関与する複数の異なる当事者（例えば、人材派遣会社、雇用会社、労働者）を統合するため、交換システム１０１によって提供される機能にアクセスする複数の異なるタイプのユーザが存在する。いくつかの異なるタイプのユーザとしては、例えば、雇用責任者、求職中の一時労働者、採用担当者、雇用された労働者、および他のタイプのユーザを含み得る。交換システム１０１は、異なるユーザに異なる能力（例えば、機能およびユーザインターフェース）を提供することができる。
【００６８】
例えば、様々な役割に関連付けられたユーザが一時人材派遣機能を管理するために使用することができる複数の異なるタイプのインターフェースが存在し得る。例えば、１つまたは複数のインターフェースは、特定の会社に関連付けられた雇用管理者１２１などのクライアントによって操作可能であってもよい。いくつかの実施形態によれば、交換システム１０１は、一時労働者の紹介、管理および支払いに関連付けられるクライアント機能の管理に関連付けられる１つまたは複数のインターフェースを雇用管理者１２１に提供することができる。この目的のために、管理者（例えば、管理者１２１）などの１人または複数のユーザは、コンピュータシステムインターフェース（例えば、コンピュータシステム１１８）を操作して、他の機能の中でも、労働者の紹介、タイムシートの承認、請求書の支払いの検討および認可などの１つまたは複数の機能を実行することができる。別の例では、労働者は、コンピュータシステムインターフェース（例えば、コンピュータシステム１１１）を操作して、タイムシートの作成、タイムシートの編集、および／またはタイムシートの提出などの機能を実行することができる。
【００６９】
タイムシートには、労働者が実行した労働の任意のレコードを含めることができる。例えば、タイムシートには、労働者が働いた時間、労働者が働いた日付、労働者の識別情報、および／または任意の他の情報を含めることができる。本明細書で使用される場合、タイムシートは、タイムカード、勤務記録、出勤票、作業日報、タイムチャート、または他の労働レコードを含むことができる。実施形態は、特定のタイプまたは形式の労働レコードに限定されない。本明細書で説明される実施形態は、異なるシステムによって使用される様々なタイプのレコードに適合させることができる。
【００７０】
いくつかの実施形態では、交換システム１０１は、労働者データベース１０４などの１つまたは複数の要素を含むことができる。労働者データベース１０４は、求職者、雇用された労働者、および過去の労働者に関連するデータレコードを記憶することができる。いくつかの実施形態では、交換システム１０１はさらに、労働者レコードをデータベース１０４内の労働者のプールに編成することができる。例えば、交換システムは、データベース１０４内に、一時労働者プール１０２に関連付けられた複数の一時労働者レコード（例えば、労働者レコード１０３）を記憶することができる。いくつかの実施形態によれば、交換システム１０１は、複数の異なる事業体がデータベース１０４内の労働者レコードを作成、記憶、および／または更新することを可能にする。交換システム１０１は、異なる事業体に関連付けられたまったく異なるコンピュータシステムがデータベースにアクセスすることを可能にするインターフェースを含むことができる。例えば、一時労働者は、採用担当者、人材派遣会社、雇用会社、または一時労働者の管理に関連付けられる他の事業体を含むがこれらに限定されない１つまたは複数の事業体によってデータベース内で規定することができる。したがって、交換システム１０１は、労働者レコードを記憶することができる集中化されたロケーションを提供することができる。複数の人材派遣会社が、人材派遣会社のそれぞれの人材派遣プラットフォームを介してレコードにアクセスすることができる。このようなシステムがなければ、各事業体は、他の関係者（雇用会社など）に多くの労働者レコードへのアクセスを提供することなく、別個のシステムに労働者レコードを独立して記憶することになる。したがって、交換システム１０１は、様々な人材派遣コンピュータシステムに必要なストレージの量を減らすことができる。
【００７１】
１つの実施形態によれば、交換システム１０１は複数の構成要素を含み、各構成要素は、一時労働者の管理に関連付けられる様々な機能の実行に関連付けられる。例えば、交換１０１は、ユーザインターフェース構成要素１０６、ワークフロー構成要素１０７、管理ツール１０８、および報告ツール１０９を含むことができる。説明されるように、ユーザインターフェース構成要素１０６は、（例えば、管理者の役割のための）一時労働者の紹介、管理、および補償に関連付けられる様々な役割に対して規定される１つまたは複数のユーザインターフェースを生成および／または含むことができる。ワークフロー構成要素１０７は、クライアントシステム、応募者追跡システム（ＡＴＳ）、雇用プラットフォーム、または他のシステムなどの複数のコンピュータシステム間の通信を規定する１つまたは複数の規定のプロセスを含むことができる。管理ツール１０８は、交換１０１に関連付けられる様々なプロセスおよびパラメータを構成および制御するために使用される１つまたは複数のツールを含むことができる。報告ツール１０９は、他の報告機能の中でも、請求書の生成、一時労働者プールの閲覧、採用担当者および他の役割に関する報告の閲覧に使用される１つまたは複数の構成要素を含むことができる。
【００７２】
いくつかの実施形態によれば、交換システム１０１はさらに、志望者の紹介に関与する異なる当事者に関連付けられる複数の異なるコンピュータシステムを統合することができる。いくつかの実施形態では、交換システム１０１は、複数の異なる人材派遣プラットフォーム（例えば、人材派遣プラットフォーム１２４、人材派遣プラットフォーム１２５など）、雇用プラットフォーム（例えば、雇用プラットフォーム１２８、雇用プラットフォーム１２９など）、および他のシステムに接続することができる。人材派遣プラットフォームは、それぞれの人材派遣会社（例えば、人材派遣会社１２２、人材派遣会社１２３）によって操作することができ、それぞれの人材派遣会社は、１つまたは複数のコンピュータシステム（例えば、コンピュータシステム１３０〜１３５）が、交換システム１０１によって提供される労働者と関連付けられるレコード（例えば、一時労働者レコード）にアクセスすることを認可することができる。同様に、雇用会社およびそれらのユーザは、１つまたは複数のコンピュータシステム（例えば、コンピュータシステム１３６〜１３９）を使用して交換システム１０１による機能を実行することもできる。
【００７３】
いくつかの実施形態では、交換システム１０１は、記憶されている労働者のプール１０２からの労働者を仕事レコードと照合することができる。１つの実施形態では、人材派遣会社コンピュータシステム（例えば、人材派遣プラットフォーム１２４）のユーザは、仕事に対して志望者を提出することができる。仕事は、例えば、雇用プラットフォーム１２８を使用して雇用会社１２６によって提出されたものであってもよい。いくつかの実施形態では、仕事に対して提出された志望者は、労働者データベース１０４内の労働者プール１０２内に記憶されている労働者に対応することができる。人材派遣会社のユーザが志望者を仕事に対して提出すると、交換システム１０１は、記憶されている労働者を仕事に対して提出することができる。１つの実施形態では、交換システム１０１は、プール１０２内の労働者レコードを記憶されている仕事レコードと照合することができる。例えば、交換システム１０１は、交換システム１０１のデータベース内の仕事レコードへの労働者レコードのマッピングを記憶することができる。このようにして、交換システム１０１は、人材派遣会社コンピュータシステムが労働者データベース１０４を利用して志望者の提出を管理することを可能にし得る。
【００７４】
いくつかの実施形態では、交換システム１０１は、労働者レコードのプールを人材派遣会社に関連付けることができる。例えば、交換システム１０１は、人材派遣会社１２２に一時労働者プール１０２を関連付けることができる。このとき、交換システム１０１は、プール１０２に記憶されている労働者レコードへのアクセスを人材派遣会社１２２に限定することができる。例えば、交換システム１０１は、人材派遣会社１２２に関連付けられた人材派遣会社プラットフォーム１２４のみに、労働者レコードを編集し、プール１０２内の労働者を仕事に対して提出し、労働者データベース１０４内の労働者を検索し、労働者プール１０２内の労働者に関連付けられる他の作業を実行することを許可することができる。このようにして、交換システム１０１は、人材派遣会社に関連付けられる労働者（例えば、以前に人材派遣会社によって提出された労働者）への人材派遣会社のアクセスを依然として分離しながら、複数の異なる人材派遣会社（例えば、人材派遣会社１２２〜１２３）に関連付けられる労働者の労働者レコードを記憶することができる。
【００７５】
本発明者らは、労働者データベース１０４および／または労働者レコードのプールを維持することにより、交換システム１０１が、志望者紹介プロセスを複数のコンピュータシステムにわたってより効率的に実行するようにすることができることを理解している。例えば、交換システム１０１は、志望者を人材派遣会社コンピュータシステムに提出するよう要求し、再び雇用者コンピュータシステムに提出するよう要求するのではなく、記憶されている労働者レコードを求人にマッピングすることができる。対照的に、従来のシステムは、複数の異なるコンピュータシステム（例えば、人材派遣コンピュータシステムおよび雇用者コンピュータシステム）において労働者または志望者を複数回提出し、複数のシステムにおいて提出された労働者を記憶することを必要とし得る。さらに、まったく異なるコンピュータシステムのいずれも、記憶されている労働者を別のシステムによって提出された求人と照合することができない。したがって、交換システム１０１は、従来のシステムとは異なり、複数の異なるコンピュータシステムを統合し、交換システム１０１による労働者および／または志望者の仕事への照合を可能にする。交換システム１０１は、労働者レコードを記憶するために複数の異なるコンピュータシステムにわたって必要とされるストレージの量を減らし、より効率的に労働者を求人と照合することができる。
【００７６】
いくつかの実施形態によれば、交換システム１０１は、交換システムがやり取りする１つまたは複数のコンピュータシステムへのインターフェースを含むことができる。例えば、交換システム１０１は、人材派遣プラットフォーム（複数可）（例えば、人材派遣プラットフォーム１２４〜１２５）、雇用プラットフォーム（例えば、採用プラットフォーム１２８〜１２９）、およびクライアントシステム（複数可）（例えば、クライアントシステム１１０Ａ〜Ｃ）とのインターフェースを含み得る。１つの例では、関連するコンピュータシステムとのインターフェースは、アプリケーションプログラムインターフェース（ＡＰＩ）を含んでもよい。ＡＰＩは、交換システム１０１がコンピュータシステムとやり取りすることができるインターフェースを提供することができる。ＡＰＩは、コンピュータシステムからのデータにアクセスするためのおよび／またはコンピュータシステムにデータを送信するためのソフトウェアコードを含み得る。ソフトウェアコードは、実行されると、コンピュータシステムからデータを収集し、および／またはコンピュータシステムにデータを送信する様々な機能を含み得る。ＡＰＩは、コンピュータシステムによって実行されると、コンピュータシステムが交換システム１０１とやり取りすることを可能にし得るソフトウェアコードをさらに含み得る。例えば、人材派遣プラットフォームのためのＡＰＩは、人材派遣プラットフォームを使用する採用担当者が、交換システム１０１によって記憶されている志望者のデータベースに志望者を提出することを可能にする機能を含み得る。同様に、雇用プラットフォームのためのＡＰＩ（例えば、ＡＴＳ）は、雇用プラットフォームが交換システム１０１によって記憶されている情報（例えば、志望者レコード）にアクセスすることを可能にする機能を含むことができる。別の例では、交換システム１０１は、会社のクライアントコンピュータシステムとやり取りするためのＡＰＩを含むことができる。ＡＰＩは、実行されると、交換システム１０１がクライアントコンピュータシステムからデータを取り出す、および／または受信することを可能にするソフトウェアコードを含むことができる。同様に、ＡＰＩは、実行されると、交換システム１０１がクライアントコンピュータシステムにデータを送信することを可能にするソフトウェアコードを含むことができる。
【００７７】
さらに、いくつかの実施形態によれば、交換システム１０１は、労働者（例えば、一時労働者１２０）が労働者の立候補および紹介に関連付けられる１つまたは複数の行動を実行することができるようにする能力を提供することができる。例えば、紹介されると、クライアントＡ（１１０Ａ）に関連付けられた一時労働者１２０は、タイムシートの閲覧、タイムシートの編集、支払い情報の閲覧、または労働者の一時雇用条件に関連付けられる他の行動を許可され得る。
【００７８】
図２は、本発明の１つの実施形態による、志望者および／または労働者（例えば、一時労働者）を処理するための例示的なプロセス２００を示す。プロセス２００は、例えば、図１を参照して上述した交換システム１０１によって実行され得る。本明細書で説明される様々な実施形態によれば、交換は、交換可能にスカウト交換、または単にスカウトとして参照される場合がある。
【００７９】
プロセス２００はブロック２０１において始まり、雇用者が交換インターフェース内で（例えば、臨時の仕事の）求人を掲載する。いくつかの実施形態によれば、雇用者は、交換システムによって提供されるインターフェースにアクセスすることができる。雇用者は、例えば、コンピュータシステム（例えば、コンピュータシステム１１２）を使用して、雇用者に関連付けられるクライアントシステム（例えば、図１のクライアントＡ  １１０Ａ）を通じて交換インターフェースにアクセスすることができる。いくつかの実施形態では、交換システムは、雇用者コンピュータシステムによって使用される既存のソフトウェアアプリケーションシステム内にインターフェースを提供することができる。例えば、交換インターフェースは、それを介して雇用者が臨時の仕事を提出することができる、雇用者コンピュータシステムによって使用される応募追跡システム内のユーザインターフェースを含んでもよい。交換システムは、例えば、ユーザインターフェースを生成し、それを表示させることができる。雇用者は、例えば、雇用者のコンピュータシステム上のブラウザアプリケーションを通じて交換インターフェースにアクセスすることができる。
【００８０】
図９は、交換が仕事リストを作成するために雇用者コンピュータシステムに提供することができる例示的なユーザインターフェース９００を示している。いくつかの実施形態では、交換は、ユーザインターフェースを生成し、それを雇用者コンピュータシステムのディスプレイ内に提示することができる。いくつかの実施形態では、交換は、実行されると、雇用者コンピュータシステムのディスプレイ内にユーザインターフェースを表示させるコード（例えば、ＨＴＭＬ、Ｊａｖａｓｃｒｉｐｔ（登録商標）、ＣＳＳ）を、雇用者コンピュータシステムに送信することができる。いくつかの実施形態では、雇用者は、求人タイプ（例えば、臨時、常勤、契約）、職名、勤務地、請求レート範囲、賃金レート範囲、目標開始日、目標終了日、雇用期間、補充すべきポジションの数、控除ステータス、および／または雇用管理者の識別情報（名前など）などの情報を入力することができる。いくつかの実施形態では、交換はさらに、交換が、職員および／または求職者が求人で指定されたものとは異なる請求レートまたは範囲を願い出ることを可能にすべきか否かを示す資格を雇用者に提供し得る。交換インターフェースはまた、雇用者が、仕事の緊急度、最低学歴要件、週あたりの予測時間数、そのポジションの上司、仕事に必要な技能、および／または仕事にとって望ましい技能など、他の情報を入力することを可能にすることもできる。交換は、雇用者が、選択（例えば、ドロップダウン選択（複数可）、チェックボックス、ラジオボタン）を介して、テキストの入力によって、またはインターフェースを介して情報を受信する他の適切な方法によって情報を入力することができるようにするインターフェースを生成することができる。
【００８１】
本明細書では情報の例を説明するが、実施形態は、交換インターフェースに入力することができる情報のいかなる特定のタイプまたは形式にも限定されない。交換インターフェースは、雇用者コンピュータシステムから求人情報を受信するための異なる情報、フィールド、オプション、および他の要素を削除および／または追加するように適合することができる。
【００８２】
次に、プロセス２００はブロック２０２に進み、交換は、システム内で作成され得る臨時の仕事の求人を分析する。いくつかの実施形態によれば、交換は、雇用者によって交換インターフェースに入力された情報を受信し、交換のデータベース内に記憶レコードを生成することができる。いくつかの実施形態では、交換は、求人のための記憶ユニットを作成することができる。１つの例では、交換は、求人のデータベース内にエントリを作成することができる。別の例では、交換は、交換システムの非リレーショナルデータベース内に１つまたは複数のドキュメントを作成することができる。交換は、求人レコード内に仕事に関する詳細を記憶することができる。レコードは、例えば、雇用者コンピュータシステムによって提出された求人を使用して交換がデータ投入することができる１つまたは複数のフィールドを含むことができる。いくつかの実施形態では、交換は、交換インターフェースのフィールドをデータベース内に記憶されている求人レコードのフィールドにマッピングし、マッピングされたフィールドに情報を記憶することができる。
【００８３】
いくつかの実施形態では、交換はさらに、有効性について求人を分析することができる。例えば、交換は、交換インターフェースのフィールドに入力された情報が有効（例えば、有効な文字）であるか否かを判定することができる。別の例では、交換は、求人に入力された日付が有効か否か（例えば過去のものではないか）を判定することができる。いくつかの実施形態では、交換はさらに、求人に一意の識別子を割り当てることができる。交換は、一意の識別子を求人レコードの一部として記憶することができる。
【００８４】
次に、プロセス２００はブロック２０３に進み、交換システムは、確定された求人を１つまたは複数の人材派遣代理店に提出する。これは、例えば、交換と人材派遣代理店コンピュータシステムプラットフォームとの間のプログラム接続を通じて実行することができる。いくつかの実施形態では、交換システムは、それを介して交換システムが人材派遣プラットフォーム（例えば人材派遣コンピュータシステムおよび／またはソフトウェア）とやり取りすることができるＡＰＩを含むことができる。いくつかの実施形態によれば、交換システムは、ＡＰＩを介して人材派遣プラットフォームに求人レコードを送信する。例えば、交換システムは、求人の詳細に関連するデータを送信することができる。いくつかの実施形態では、交換システムは、求人の記憶されているレコードからその求人のレコードを取り出すことができる。いくつかの実施形態では、交換システムは、付加的または代替的に、交換インターフェース（例えば、ユーザインターフェース）を介して雇用者によって入力された求人に関する情報を取り出すことができる。交換システムは、交換システムが求人データを送信することができるようにするソフトウェアコードを実行することができる。１つの例では、交換システムは、求人に関する情報にアクセスするためのソフトウェアコードを実行することができる。コードは、実行されると、求人に関する記憶されている情報（例えば、求人レコード内）にアクセスし、その情報を人材派遣プラットフォームのストレージ（例えば、データベース）に送信することができる。
【００８５】
いくつかの実施形態において、交換システムは、人材派遣事業体（例えば、人材派遣会社、採用担当者）が求人に対する志望者を提出することを可能にし得る。例えば、人材派遣代理店は、一時的な求人への１人または複数の志望者を提出することができる。１つの実施形態では、交換システムは、それを通じてユーザ（複数可）が求人を検討し、志望者を提出することができるインターフェース（複数可）を提供する。いくつかの実施形態によれば、交換システムは、人材派遣プラットフォームが交換システムのデータベース内に記憶されている求人にアクセスすることを可能にし得る。交換システムは、例えば、採用担当者が交換システムに記憶されている求人を閲覧することができるユーザインターフェースを生成することができる。採用担当者は特定の求人を選択することができ、それに応答して、交換システムは選択された求人に関するさらなる詳細を表示するユーザインターフェースを生成することができる。交換システムは、例えば、求人レコードからのデータにアクセスし、それをユーザインターフェースに提示することができる。
【００８６】
図１０は、人材派遣事業体（例えば、採用担当者）が特定の求人に対する志望者を提出することができる例示的なユーザインターフェース画面１０００を示している。交換システムは、例えば、採用担当者（例えば、人材派遣プラットフォームを介して交換システムにアクセスする採用担当者）のコンピュータシステムのディスプレイ上にユーザインターフェースを生成し提示することができる。採用担当者は、志望者を提出するために、ユーザインターフェースの様々なフィールドに情報を入力し、ドキュメントを添付し、選択を行い、または任意の他の適切な方法で志望者に関する情報を入力することができる。交換システムは、（例えば、ユーザが志望者を提出するのに応答して）情報を受信することができる。その後、交換システムは、データベース内に志望者のレコードを記憶することができる。いくつかの実施形態では、交換システムは、提出された志望者を、交換システムのデータベース内の求人の記憶されているレコードにさらにマッピングすることができる。１つの例では、交換システムは、求人に対して提出された志望者の識別情報（複数可）を求人レコードに記憶することができる。例えば、交換システムは、交換システムのデータベース内に求人に対する各志望者の一意の識別子のマッピングを記憶することができる。別の例では、交換システムは、交換システムのデータベースに記憶されている志望者レコードに、志望者が提出されている仕事の識別情報を記憶することができる。
【００８７】
１つの実施形態によれば、各人材派遣代理店は、交換システム内で１人または複数の志望者を規定および保存することを許可される。このような志望者は、応募者追跡システムすなわちＡＴＳなどの別のシステム内で事前に規定することができる。例えば、人材派遣プラットフォームは、ユーザが志望者を作成および規定するために使用することができる特定のＡＴＳソフトウェアシステム（Ｂｒａｓｓｒｉｎｇなど）を使用することができる。ＡＴＳは、識別情報（例えば、名前、年齢）、連絡先情報（例えば、電子メール、電話）、履歴書（複数可）、添え状（複数可）、および志望者に関する他の情報などの志望者に関する情報を記憶することができる。いくつかの実施形態では、交換システムは、人材派遣プラットフォームによって使用されるＡＴＳから志望者を取り出すことができる。図１に関して上述したように、交換システムは、それを介して特定のＡＴＳからの情報にアクセスすることができるＡＰＩを含むことができる。交換システムは、例えば、特定の志望者に関するデータを取り出すことができる。別の例では、人材派遣代理店は、人材派遣代理店が使用するＡＴＳからの志望者を交換システムに提出することができる（例えば、ＡＰＩを介して）。人材派遣代理店は、ＡＰＩを介して志望者に関するデータを送信することができる。交換システムは、データを受信し、交換システムのデータベース内に志望者の志望者レコードを作成することができる。
【００８８】
いくつかの実施形態において、交換システムは、データベース（例えば、労働者データベース１０４）内の労働者プール（例えば、労働者プール１０２）に記憶されている労働者を、求人と照合することができる。交換システムは、例えば、データベースに記憶されている労働者レコードを求人と照合することができる。いくつかの実施形態では、交換システムは、労働者が求人への志望者として提出されるのに応答して、労働者を求人と照合することができる。別の実施形態では、交換システムは、記憶されている労働者レコードを求人と自動的と照合することができる。交換システムは、それぞれの雇用者のために働いた労働者の過去の履歴、求人に関連する労働者の技能、および／または他の要因に基づいて、記憶されている労働者レコードを照合することができる。交換システムは、人材派遣会社のユーザが労働者レコードにアクセスし、求人に対して労働者を提出することができるように、労働者レコードを維持することができる。いくつかの実施形態によれば、交換システムの労働者データベースは、個々の人材派遣コンピュータシステムが労働者レコードを記憶する必要性を排除することができる。
【００８９】
次に、プロセス２００は２０４に進み、交換システムは、ユーザが特定の志望者をプレビューおよび処理することができるようにする。ユーザは、例えば、志望者が提出された求人を提出した雇用者の雇用管理者または人事部の被雇用者であってもよい。交換システムは、それを介してユーザが志望者に関する情報にアクセスすることができるユーザインターフェースを提供することができる。いくつかの実施形態では、ユーザは、ユーザが使用するコンピュータシステム上で交換インターフェースにアクセスすることができる。ユーザは、例えば、ブラウザアプリケーションを使用してウェブサイトを通じて交換インターフェースにアクセスすることができる。別の実施形態では、ユーザは、雇用者コンピュータシステムによって使用されるＡＴＳソフトウェアアプリケーションを使用して、交換システムからの志望者情報にアクセスすることができる。交換システムは、例えば、提出された志望者に関する情報をＡＴＳに送信することができる（例えば、ＡＰＩを介して）。別の例において、交換システムは、ＡＴＳが交換システムのデータベースから（例えば、ＡＰＩを介して）情報を取り出すことを可能にし得る。
【００９０】
図１１Ａ〜図１１Ｃは、雇用者が１つまたは複数の求人に対して提出された志望者を検討することを可能にする例示的なユーザインターフェース画面を示す。例えば、図１１Ａは、雇用者が閲覧することができる雇用者が掲載した求人のリストを表示するユーザインターフェース画面１１００を示している。リストは、例えば、保留中および／または期限切れの志望者、勤務地、職名、有効期限および他の情報など、各求人に関する情報を表示することができる。実施形態は、表示され得るいかなる特定のタイプの情報にも限定されない。交換システムは、交換システムのデータベースに記憶されている求人レコードからユーザインターフェースに情報をデータ投入することができる。ユーザは、特定の求人を選択して、選択した求人に対して提出されている志望者を閲覧することができる。図１１Ｂは、所与の求人に対して提出されている志望者を示す例示的なユーザインターフェース画面１１１０を示している。交換システムは、交換システムのデータベースからの提出レコードにアクセスして、求人に対して提出された志望者に関するユーザインターフェース画面内の情報にデータ投入することができる。
【００９１】
図１１Ｃは、ユーザが（例えば、雇用のために）志望者を受け入れるために使用することができる例示的なユーザインターフェース画面１１２０を示している。ユーザは、例えば、図１１Ｂに示されるユーザインターフェース画面から特定の志望者を選択することにより画面にアクセスすることができる。雇用者は、提出された志望者に関する追加の情報を検討することができる。交換システムは、提出された志望者のオプションを提供することができる。例えば、交換システムは、ユーザが、雇用者が関心がないことを示すためのオプションを提供することができる。交換システムは、付加的または代替的に、ユーザが、雇用者が志望者を受け入れたいと思っていることを示すためのオプションを提供することができる。ユーザインターフェース画面１１２０および１１２２に示されるように、雇用者は、志望者を受け入れることを選択することができる。交換システムは、ユーザインターフェース画面１１２２において雇用者が受け入れを確認することを要求することができる。交換システムはさらに、以下でさらに詳細に説明するように、志望者がすでにその仕事に対して提出されているか否か（例えば、別の採用担当者によって提示されており、管理者によって受け入れられているか否か）を判定することができる。この場合、交換システムは、例えば、志望者がすでにシステム内に存在していることを雇用者に示すユーザインターフェース画面１１２４を生成することができる。雇用者は、インターフェース画面１１２４に示すように、志望者をそれでも受け入れるまたはキャンセルすることを可能にされ得る。
【００９２】
いくつかの実施形態では、ユーザが求人に対する志望者の受け入れを示すと、交換システムは、志望者をコンピュータシステム（例えば、雇用者コンピュータシステム）にエクスポートすることができる。１つの例では、雇用者コンピュータシステムは、ＡＴＳ（例えば、Ｂｒａｓｓｒｉｎｇ）を使用することができる。ユーザが志望者を受け入れることに応答して、交換システムは、雇用者コンピュータシステムによって使用されるＡＴＳに志望者のレコードを送信することができる。交換システムは、例えば、雇用者ＡＴＳへのインターフェースを提供するＡＰＩを介して志望者を送信することができる。いくつかの実施形態では、その後、志望者は、求人に対する志望者として雇用者コンピュータシステムに記憶され得る。
【００９３】
いくつかの実施形態において、交換システムは、提出された志望者がコンピュータシステム（例えば、雇用者コンピュータシステム）内にすでに存在するか否かを判定することができる。交換システムは、志望者のデータレコードにアクセスして、志望者がそれぞれのコンピュータシステムにすでに提出されているか否かを判定することができる。例えば、交換システムは、求人および／または志望者レコード内で志望者が求人に対して受け入れられているという、記憶されているレコードを識別することができる。いくつかの実施形態では、交換システムは、一意の識別（例えば、一意の英数字識別子）を用いて各志望者を識別することができる。交換システムは、例えば、識別子を有する志望者が雇用者コンピュータシステムに（例えば、ＡＴＳに）記憶されているか否か、および／または求人に関連付けられているか否かを判定することにより、志望者が提出されているか否かを判定することができる。別の例では、交換システムは、交換システムのデータベースに記憶されているレコードの求人に対して識別子が受け入れられているか否かを判定することができる。
【００９４】
いくつかの実施形態によれば、志望者がコンピュータシステム内に存在することを交換システムが識別すると、交換システムは、志望者がコンピュータシステムにすでに記憶されていることをユーザに示す警告を生成することができる。例えば、図１１Ｃに示されるように、システムは、志望者が雇用者コンピュータシステムのＡＴＳにすでに存在することをユーザに示す警告メッセージを生成することができる。いくつかの実施形態では、交換システムは、志望者の受け入れおよび新しい応募の作成を継続するためのオプションをユーザに提供することができる。交換システムはさらに、受け入れをキャンセルするためのオプションを提供することができる。別の実施形態では、交換システムにより、ユーザは、志望者の既存のレコードを求人に関連付けることができる。
【００９５】
志望者が仕事に対して提出された後、プロセス２００はブロック２０５に進み、システムが、１人または複数のユーザが、その志望者が紹介されるまで、雇用プロセスを通じて志望者を追跡することを許可する。交換システムは、雇用者コンピュータシステムおよび／または人材派遣プラットフォームから受信される更新に基づいて、志望者に関連付けられたレコードおよび／または求人レコードを更新することができる。例えば、雇用管理者または人事担当者は、雇用プロセスの様々な段階（例えば、電話面接、最初の面接、２回目の面接、オファー、採用）において志望者のステータスを更新することができる。交換システムは、交換システムのデータベース内の志望者のレコードを自動的に更新することができる。いくつかの実施形態によれば、交換システムはさらに、他のコンピュータシステム内の志望者のステータスを更新することができる。例えば、雇用者コンピュータシステム（例えば、雇用者が使用するＡＴＳ）内の更新に応答して、交換システムは、人材派遣プラットフォーム（例えば、人材派遣コンピュータシステムが使用するＡＴＳ）内の志望者ステータスを自動的に更新することができる。このようにして、交換システムは、志望者の紹介に関係するすべての事業体にわたって志望者ステータスレコードを同期させることができる。
【００９６】
求人に対する志望者の紹介後、プロセス２００はブロック２０６に進み、システムが、紹介後の志望者の追跡を継続する。システムは、様々な実施形態に従って、ブロック２０６における雇用後追跡を可能にする。本発明者らは、従来のシステムでは、一般に、その志望者の紹介後に応募者を見ることができないことを理解している。例えば、志望者の紹介が完了した後、紹介後活動に関連付けられる任意の機能（例えば、請求、支払いの分配）は、従来のシステムでは実行することができない。
【００９７】
いくつかの実施形態では、志望者の紹介後、交換システムは、この時点で労働者として参照される場合がある、紹介された志望者のステータスを追跡することができる。いくつかの実施形態では、労働者は、時間制限のある仕事（例えば、契約）のために雇用された一時労働者であり得る。交換システムは、例えば、労働者が働き始めたか否か、および／または労働者のオンボーディングステータスを追跡することができる。いくつかの実施形態では、交換システムは、志望者の紹介を完了するために、人材派遣プラットフォームと雇用者コンピュータシステムとの間のハンドシェイクプロセスを実行することができる。そのようなハンドシェイクを完了するために交換システムが実行することができる例示的なプロセスが、図６Ａ〜図６Ｂを参照して以下に説明される。
【００９８】
様々な実施形態によれば、交換システムは、ブロック２０６において志望者を紹介した後のタイムシート管理機能を提供することができる。そのような実施形態では、志望者の紹介後、プロセス２００はブロック２０７に進み、交換システムが、雇用者、人材派遣代理店、その被雇用者、および交換システム（例えば、スカウト（ｓｃｏｕｔ））によるものなどの様々なタイムシート機能を提供する。いくつかの実施形態では、交換システムは、タイムシートデータを追跡するために複数の事業体とやり取りすることができる。交換システムは、雇用者コンピュータシステム、人材派遣プラットフォーム、および労働者（例えば、被雇用者）によって使用されるコンピュータシステムとやり取りすることができる。１つの例では、交換システムは、クライアントコンピュータシステムを介して労働者によって提出されたタイムシートを受信し得る。交換システムは、タイムシートを記憶し、および／またはそれを雇用者コンピュータシステムに送信することができ、雇用者コンピュータシステムにおいて、ユーザ（例えば、管理者）がタイムシートを承認することができる。交換システムはさらに、タイムシートの承認を記憶することができる。いくつかの実施形態では、交換システムは、タイムシートが管理者によって拒絶された場合にタイムシートを労働者コンピュータシステムに返送するか、またはタイムシートを修正するように労働者に要求することができる。
【００９９】
いくつかの実施形態によれば、交換システムはさらに、記憶されているタイムシートデータを使用して請求書を生成することができる。本発明者らは、従来のシステムは、志望者の紹介に関与する支払い当事者への請求書を生成するために必要なデータ（例えば、タイムシートデータ）にアクセスすることができないため、志望者の紹介に関する請求書を自動的に生成することができないことを理解している。志望者紹介プロセスに関与する事業体の複数のコンピュータシステムとのインターフェースを含む交換システムは、この機能を提供するために複数の異なるシステムとやり取りすることができる。
【０１００】
次に、プロセス２００はブロック２０８に進み、いくつかの実施形態によれば、交換システムが、供給元のオンボーディング、ならびに請求書の作成および管理、ならびにシステム間の協調などの追加機能を実行し、これらすべての事業体間の効率を向上させることができる。いくつかの実施形態によれば、交換システムは、複数のコンピュータシステムとやり取りすること、複数のシステムからのデータにアクセスすること、および／または交換システムのデータベースに記憶されているデータにアクセスすることによって、請求書を生成することができる。請求書を生成するために複数のシステムとやり取りするために交換システムが実行することができる例示的なプロセスは、図３Ａ〜図３Ｂを参照して以下で説明される。
【０１０１】
次に、プロセス２００は続いて２０９に進み、交換システムが他の機能を実施することができる。いくつかの実施形態では、交換システム報告および分析機能。いくつかの実施形態において、交換システムは、志望者紹介に関与する事業体のコンピュータシステムからの情報（例えば、データ）にアクセスして、紹介プロセスに関する報告および分析を生成することができる。１つの例では、交換システムは、志望者および／または雇用された労働者の資格に関する統計など、雇用プロセスに関する統計を計算し、表示することができる。交換システムは、紹介プロセスに関するレポートをさらに生成することができる。レポートは、例えば、紹介に関与する人間（採用担当者、雇用管理者、雇用者、人材派遣代理店など）のアイデンティティをキャプチャすることができる。交換システムは、レポートを生成し、ユーザインターフェースにおいてユーザ（複数可）に提示することができる。
【０１０２】
図３Ａ〜図３Ｂは、交換システム３０２（例えば、スカウト）と、（１）雇用者コンピュータシステム３０１、（２）人材派遣コンピュータシステム３０３、および（３）労働者コンピュータシステム３０４とのやり取り３００を示す流れ図である。１つの例では、交換システムは、本発明の１つの実施形態に従って、一時労働者を管理するために、図３Ａ〜図３Ｂに示されるやり取りを実行することができる。
【０１０３】
本明細書では、一時労働者を参照して例示的な実施形態を説明しているが、実施形態は、いかなる特定のタイプの労働者の管理にも限定されない。実施形態はこれに関して限定されないため、本明細書で説明されるプロセスは、他のタイプの労働者（例えば、パートタイム、常勤、フルタイム）について実施および／または適合させることができる。さらに、交換システムは、本明細書に図示または説明されていない他の機能およびやり取りを実行するように構成されてもよい。交換システムは、本明細書に図示または説明されていない他のシステムとやり取りすることもできる。
【０１０４】
志望者は、交換システムによって受信および記憶することができ、交換システムは、雇用者コンピュータシステムに、受信された志望者のショートリストを自動的に提供することができる。そのような情報は、応募者追跡システムに受信され、その志望者は特定の雇用者によって作成された求人掲載について雇用される可能性がある。雇用に応答して、交換システム内で志望者のステータスを更新することができ、その雇用された志望者を特定の人材派遣会社とリンクするレコードをその雇用された志望者に関連付けることができる。その後、紹介された志望者に関連付けられる操作を、その特定の人材派遣会社にリンクさせることができる。１つの例では、人材派遣会社はその特定の志望者によって行われた仕事に基づいて支払いを受けることができ、したがって、志望者が紹介された後に志望者に関連付けられる情報を追跡することが有用であり得る。
【０１０５】
１つの実施形態によれば、ブロック３０５に示されるように、雇用者は一時的な求人を作成することができ、対応する仕事エントリを交換システムに掲載することができる。いくつかの実施形態では、雇用者は、雇用者コンピュータシステム３０１内に求人を作成することができる。次に、ブロック３０６において、雇用者コンピュータシステム３０１は、交換システム３０２に求人を送信することができる。雇用者コンピュータシステム３０１は、例えば、図１および図２を参照して上述したように（例えば、交換システム３０２のＡＰＩを介して）交換システムに求人を送信することができる。掲載に応答して、ブロック３０８において、交換システム３０２は仕事を分析することができる。交換システム３０２は、例えば、図２を参照して上述したように仕事を分析することができる。例えば、交換システム３０２は、仕事の１つまたは複数の属性（例えば、職名、開始日、終了日、給与、請求レート、必要な技能）を識別し、さらに交換システム３０２のデータベースに仕事のレコードを記憶することができる。交換システム３０２はさらに、有効性について（例えば、日付を検証するために）仕事をさらに分析することができる。いくつかの実施形態では、ブロック３１０に示されるように、交換システム３０２は、１つまたは複数の人材派遣会社に仕事を推薦することができる。いくつかの実施形態では、交換システム３０２は、求人レコードに関連するデータを人材派遣会社３０３に送信することができる。いくつかの実施形態では、交換システム３０２は、仕事を人材派遣コンピュータシステム（例えば人材派遣プラットフォーム）に送信することができる。交換システム３０２は、例えば、図２を参照して上述したように仕事情報を送信することができる。例えば、交換システム３０２は、交換システム３０２のＡＰＩを介して人材派遣コンピュータシステム３０３と求人レコードを送信することができる。ブロック３１２において、人材派遣コンピュータシステム３０３のユーザ（例えば、採用担当者）は、（例えば、ユーザインターフェースビューにおいて）仕事にアクセスすることができる。いくつかの実施形態では、交換システム３０２は、仕事を人材派遣コンピュータシステムに定期的に提出することができる。人材派遣会社の被雇用者は、コンピュータインターフェースを通じて、志望者を紹介するための仕事を検索する（または、その特定の人材派遣代理店に関連付けられる新しい仕事の指示を受信する）ことができる。ブロック３１４において、採用担当者は、人材派遣コンピュータシステムを通じてプログラムにより１人または複数の志望者を提出することができる。いくつかの実施形態において、人材派遣コンピュータシステムは、求職者のレコードを維持するために応募追跡システム（ＡＴＳ）を使用することができる。採用担当者は、ＡＴＳを通じて求人に対して志望者を提出することができる。交換システム３０２は、例えば、人材派遣コンピュータシステム３０３が使用するＡＴＳへのＡＰＩを含むことができ、それを介して交換システム３０２は人材派遣コンピュータシステムから志望者を受信および／または志望者にアクセスすることができる。
【０１０６】
いくつかの実施形態では、採用担当者は、求人に対する志望者を交換システム３０２に提出することができる。交換システム３０２は、ブロック３１６に示されるように、志望者を検討し、志望者をショートリストに載せることができる。いくつかの実施形態では、交換システム３０２は、志望者をフィルタリングすることができる。交換システム３０２は、志望者の質および／またはアイデンティティに関連するデータによって志望者をフィルタリングし、志望者が所与の仕事レコードに適切であるか否かを判定することができる。１つの例では、交換システム３０２は、志望者が以前に（例えば、過去に別の採用担当者によってまたは同じ採用担当者によって）その仕事に対して提出されたか否かを判定することができる。交換システム３０２は、例えば、志望者に関連付けられた一意の識別子が交換システム３０２のデータベース内の求人に関連付けられるか否かを判定することができる。いくつかの実施形態では、交換システム３０２は、他の属性が仕事の要件（例えば、賃金レート、雇用時間）と一致するか否かを判定することができる。いくつかの実施形態では、交換システム３０２はさらに、ユーザ（例えば、交換エージェント）が志望者を検討することおよび／または志望者をフィルタリングすることを可能にし得る。
【０１０７】
いくつかの実施形態では、人材派遣コンピュータシステム３０３は、志望者を雇用者３０１に送信することができる。人材派遣コンピュータシステム３０３は、交換システム３０２を介して雇用者コンピュータシステム３０１に志望者を送信することができる。ユーザは、交換システム３０２に志望者を提出することができ、交換システム３０２は、提出された志望者を雇用者コンピュータシステム３０１に送信することができる。例えば、交換システム３０２は、人材派遣ＡＰＩを介して人材派遣システム３０３（例えば、人材派遣ＡＴＳ）から志望者を受信し、雇用者ＡＰＩを介して雇用者コンピュータシステム３０１（例えば、雇用者ＡＴＳ）に志望者を送信することができる。
【０１０８】
ブロック３１８において、雇用者３０１は、仕事に対して志望者を検討することができる。ブロック３２０において、雇用者は志望者を受け入れることができる。いくつかの実施形態では、雇用者は、雇用者コンピュータシステム３０１によって使用されるＡＴＳに志望者を受け入れることができる。例えば、志望者は、雇用者コンピュータシステム３０１によって使用されるＡＴＳ内に仕事に対する志望者として記憶することができる。いくつかの実施形態では、ブロック３２２に示されるように、雇用者は志望者ステータスを更新することができる。雇用者は、志望者ステータス更新の指示を交換システム３０２に送信することができる。ブロック３２４において、交換システム３０２は、志望者のステータスを（例えば、交換システム３０２のデータベース内で）更新することができる。いくつかの実施形態では、交換システム３０２は、雇用者コンピュータシステム３０１からの指示の受信に応答して志望者ステータスを更新することができる。指示は、例えば、雇用プロセスにおける志望者のステータスに関する更新された情報に関連するデータを含むメッセージを含んでもよい。交換システム３０２は、交換システム３０２のデータベース内のメッセージ内の情報に基づいて志望者レコードを更新することができる。
【０１０９】
いくつかの実施形態によれば、ブロック３２６において、雇用者は、志望者のステータスを雇用済みに更新することができる。これは、志望者が雇用者に雇用されたことを示すことができる。いくつかの実施形態では、雇用者コンピュータシステム３０１は、志望者のステータスが雇用済みに更新されたという指示を交換システム３０２に送信することができる。交換システム３０２は、（例えば、交換システム３０２のデータベース内の）志望者ステータスも更新することができる。いくつかの実施形態では、交換システム３０２は、雇用者コンピュータシステム３０１からの指示の受信に応答して志望者ステータスを雇用済みに更新することができる。志望者のステータスが雇用済みに更新されると、雇用者はさらに、雇用された志望者を労働者３２６としてオンボーディングするための他のプロセスを実行することができる。
【０１１０】
本発明者らは、交換システム３０２が、複数の異なる事業体とやり取りすることにより、従来のシステムでは不可能な様式で複数の志望者の更新されたレコードを維持することができることを認識および理解している。従来の人材派遣システムと雇用者システムとはまったく異なり、切り離されているため、志望者情報の中央ストレージレコードは存在しない。その結果、まったく異なるシステムのデータベースは、多くの場合、志望者レコードの記憶に関して非同期で信頼性が低くなる。交換システム３０２は、志望者紹介の正確で効率的な最新の追跡を可能にする。
【０１１１】
雇用後、被雇用者をオンボーディングすることができ、そのために、雇用者システムおよび交換はプログラムによるオンボーディングプロセスを実行することができる。交換システムは、他のワークフローの中でも、顧客請求書の生成、人材派遣会社への支払い、支払いおよびプロセス調整の追跡など、複数の異なるワークフローにおいて１つまたは複数のコンピュータシステムとやり取りすることができる。分散システムは、人材派遣会社のソフトウェアプラットフォームまたは他のシステムなど、他のシステムとインターフェースする、および／または他のシステムに常駐する複数の他の構成要素も含むことができる。労働者には、１つまたは複数のワークフローに含まれる複数の異なるインターフェースおよび／または機能を提供することができる。例えば、労働者は、他の機能の中でも、タイムシートの作成および表示、承認を得るためのタイムシートの提出、拒絶されたタイムシートの編集と再提出を許可され得る。
【０１１２】
図２を参照して上述したように、交換システム３０２はさらに、タイムシートの管理に関連付けられる機能を有効にすることができる。労働者は、労働者コンピュータシステム３０４を介してタイムカードにアクセスすることができる。ブロック３３４および３３６において、労働者はタイムカードにアクセス、これを閲覧、作成し、および／または編集することができる。タイムシートには、労働者が実行した労働の記録を含めることができる。タイムシートには、例えば、１つまたは複数の作業に費やされた時間、勤務した時間の日付、取得した休暇時間、有給休暇、および／または他の情報に関する情報を含めることができる。ブロック３３８において、労働者はタイムシートを提出することができる。
【０１１３】
いくつかの実施形態では、労働者はタイムカードを交換システム３０２に提出することができる。例えば、タイムシートの提出に応答して、労働者コンピュータシステム３０４はタイムシートを交換システム３０２に送信することができる。いくつかの実施形態では、ブロック３４０に示されるように、交換システム３０２は、交換システム３０２のデータベースにタイムシートレコードを記憶することができる。いくつかの実施形態では、交換システム３０２は、提出されたタイムシートからデータを抽出および記憶することができる。例えば、交換システム３０２は、ＡＰＩを介して雇用者コンピュータシステム３０４からタイムシートを受信することができる。それに応答して、交換システム３０２は、タイムシートからデータを抽出することができる。交換システム３０２は、交換システム３０２のデータベースに労働のレコード、および労働に費やされた時間を記憶することができる。
【０１１４】
いくつかの実施形態では、労働者はさらに、タイムシートを雇用者に（例えば、雇用者コンピュータシステム３０１に）提出することができる。労働者は、交換システム３０２を介して雇用者にタイムシートを提出することができる。例えば、労働者コンピュータシステム３０４はタイムシートを交換システム３０２に送信することができる。次に、交換システムは、タイムシートを記憶し、タイムシートを雇用者コンピュータシステム３０１に送信することができる。
【０１１５】
ブロック３４２において、雇用者は承認するために提出されたタイムシートを検討することができる。雇用者コンピュータシステム３０１は、自動検証を実行することができる。付加的または代替的に、雇用者コンピュータシステム３０１は、ユーザ（例えば、管理者）が提出されたタイムシートを検討することを可能にすることができる。ブロック３４４において、雇用者は提出されたタイムシートを承認または拒絶することができる。雇用者がブロック３４４においてタイムシートを承認する場合、雇用者コンピュータシステム３０１は、承認の指示を交換システム３０２に送信することができる。交換システム３０２は、（例えば、指示の受信に応答して）交換システム３０２のデータベース内のタイムシートデータのレコードを更新することができる。交換システム３０２は、例えば、提出されたタイムシートの承認を示すメッセージを、雇用者コンピュータシステム３０１からＡＰＩを介して受信することができる。
【０１１６】
ブロック３４４において雇用者がタイムシートを拒絶する場合、雇用者コンピュータシステム３０１は、拒絶の指示を交換システム３０２に送信することができる。いくつかの実施形態では、交換システムは、タイムシートの拒絶に関して、交換システム３０２のデータベース内のデータを更新することができる。交換システム３０２は、例えば、提出されたタイムシートの拒絶を示すメッセージを、雇用者コンピュータシステム３０１からＡＰＩを介して受信することができる。いくつかの実施形態では、ブロック３４８に示されるように、交換システム３０２はさらに、拒絶の指示に対する異議を決定することができる。例えば、交換システム３０２は、拒絶されたにもかかわらず、タイムシートはまだ記憶されるべきデータを含むと判定することができる。
【０１１７】
いくつかの実施形態では、交換システム３０２はさらに、タイムシートおよび／またはタイムシートデータを人材派遣コンピュータシステム３０３に送信することができる。いくつかの実施形態では、交換システム３０２は、承認されたタイムシートを送信することができる。いくつかの実施形態では、交換システム３０２は、承認されたタイムシートおよび異議を唱えられているタイムシートを送信することができる。
【０１１８】
いくつかの実施形態では、タイムシートが承認されない場合、雇用者は編集および／または再提出のためにタイムシートを労働者に返信することができる。１つの実施形態では、雇用者コンピュータシステム３０１は、交換システム３０２を介してタイムシートを労働者コンピュータシステム３０４に返信することができる。交換システム３０２は、例えば、タイムシートを編集または再提出する必要性の指示を受信することができる。ブロック３４６において、労働者は、拒絶されたタイムシートを編集および／または再提出することができる。タイムカードの再提出に応答して、タイムシートは、上記のように承認を求めるために雇用者コンピュータシステム３０１に送信することができる。
【０１１９】
いくつかの実施形態では、ブロック３５４において、１つまたは複数のタイムシートが記憶された後、交換システム３０２は、記憶されているタイムシートデータを使用して請求書を生成することができる。交換システム３０２は、例えば、交換システム３０２のデータベースに記憶されているタイムシートデータを使用して、請求書を生成することができる。交換システム３０２は、例えば、志望者の紹介に関与する１つまたは複数の事業体（例えば、人材派遣会社、交換システムの管理者）に支払うための請求書を生成することができる。交換システム３０２はまた、タイムシートデータに加えて追加のデータを使用して、請求書を生成することもできる。
【０１２０】
ブロック３５６において、交換システム３０２は、生成された請求書を雇用者に送信する。いくつかの実施形態では、交換システム３０２は、請求書を雇用者コンピュータシステム３０１に送信することができる。交換システム３０２から請求書を受信すると、ブロック３５８において、雇用者は交換システム３０２（例えば、スカウト）に送金することができる。いくつかの実施形態では、雇用者コンピュータシステム３０２は、支払いを処理することができる交換システム３０２に電子支払いを送信することができる。いくつかの実施形態では、ブロック３６０に示されるように、交換システム３０２は、志望者の紹介に関与する人材派遣会社に支払いをすることができる。いくつかの実施形態では、交換システム３０２は、雇用者からの支払いの受信に応答して人材派遣会社に支払いを行うことができる。交換システム３０２は、例えば、人材派遣会社の口座に資金を自動的に分配することができる。いくつかの実施形態では、ブロック３６２に示されるように、交換システムは、支払いの追跡および調整の処理などの他の機能を実行することができる。例えば、交換システム３０２は、すべての当事者に正しい金額が支払われたことを確認することができる。別の例では、交換システム３０２は、（例えば、新しいおよび／または修正されたタイムシートに応答して）支払いを調整することができる。
【０１２１】
図４Ａ〜図４Ｂは、本発明の様々な実施形態による分散コンピュータシステムにおいて仕事（例えば、求人）を作成するための例示的なプロセス４００を示している。例えば、図４Ａ〜図４Ｂは、応募者追跡システム（ＡＴＳ）４０１、交換システム４０２（例えば、スカウト）、スカウトコンサルタントシステム４０３、および人材派遣会社システム４０４の間のやり取りを含むプロセスを示している。このようなプロセスは、複数の人材派遣会社内での仕事の作成および掲載に関係し得る。
【０１２２】
ブロック４０６において、ＡＴＳにおいて、ユーザは、インターフェース内で求人（例えば、臨時の求人）を作成することができる。インターフェースは、例えば、上記の図２および図９を参照して上述したように、交換システム４０２によって提供されてもよい。求人は、ＡＴＳ４０１を使用して雇用者が記入すべき仕事の詳細を含むことができる。求人を作成した後、ブロック４０８において、求人をＡＴＳ４０１（例えば、ＡＴＳ４０１のストレージ）にプッシュすることができる。次に、ブロック４１０において、求人が掲載される。いくつかの実施形態では、ＡＴＳは、交換システム４０２に新しい求人を掲載することができる。掲載されると、ＡＴＳはデータ同期プロセスを使用して交換システム４０２に求人レコードを送ることができる。交換システムは、定期的に新しい求人を探し、交換コンサルタントシステムに情報を送ることができる。
【０１２３】
いくつかの実施形態では、ブロック４１２に示されるように、交換システム４０２は、ＡＴＳ４０１とのデータ同期により求人を受信することができる。交換システム４０２は、例えば、ＡＴＳ内で生成された１つまたは複数の新しい求人が交換システム４０２内で同期されるデータ同期プロセスを実行することができる。いくつかの実施形態では、交換システム４０２は、交換システム４０２がＡＴＳ４０１とやり取り（例えば、通信）するために使用するＡＰＩを介して、新しい求人に関連付けられるデータを受信することができる。いくつかの実施形態では、交換システム４０２は、定期的な時間間隔をおいて同期を実行することができる。いくつかの実施形態では、交換システム４０２は、ＡＴＳ４０１からの新しい求人の指示の受信に応答して同期を実行することができる。
【０１２４】
ブロック４１４において、交換システム４０２は、求人が打ち切られたか否かを判定することができる。例えば、データ同期プロセス中に、求人に対し志望者が紹介された場合、交換システム４０２は、求人が打ち切られたという指示を受信することができる。これが事実であると交換システム４０２が判定した場合、交換システム４０２はブロック４１６に進むことができ、交換システム４０２は、オープン求人のリストから求人を削除する。例えば、交換システム４０２は、交換システム４０２のデータベース内の求人のステータスを変更することができる。さらに、交換システム４０２は、（例えば、採用担当者または人材派遣プラットフォームによる）求人へのアクセスを削除することができる。
【０１２５】
ブロック４１８において、交換システム４０２は、求人が新しい求人であるか否かを判定する。例えば、交換システム４０２は、交換システム４０２のデータベースに求人が存在するか否かをチェックして、求人が新しいものであるか否かを判定することができる。交換システム４０２は、求人が新しい求人であると判定した場合、ブロック４２０に進み、交換システム４０２が、交換システム４０２内に求人のリストを作成する。例えば、交換システム４０２は、人材派遣プラットフォームによって閲覧およびアクセスすることができるものとして、求人を含むことができる。
【０１２６】
いくつかの実施形態では、交換システム４０２内のリストを決定すると、交換システム４０２は、さらに、求人に関連付けられる追加のプロセスを開始することができる。例えば、交換システム４０２は、ユーザ４０３（例えば、コンサルタント）が求人に関連付けられる活動を実行することを可能にし得る。１つの実施形態では、交換コンサルタントは、掲載を検討し、交換システム４０２に応答して、仕事リストを送るための１つまたは複数の適切な人材派遣会社を決定する。例えば、コンサルタントは、ブロック４２２において、交換システム４０２からメッセージ（例えば、電子メール）を自動的に受信することができる。次いで、コンサルタントは、ブロック４２４において取り込みコールを実施し、ブロック４２６において仕事に関する追加の詳細を更新することができる。
【０１２７】
１つの実施形態によれば、交換システムは、特定の仕事の１つまたは複数の好ましい供給元を追跡し、好ましい供給元が所定の時間（例えば、４８時間）にわたってこれらの紹介にアクセスすることができるようにすることができる。その後、人材派遣会社は、特定のリストを閲覧およびこれに応答することを許可され得る。ブロック４２８において、コンサルタント４０３は、選択された供給元セットのみが仕事にアクセスすべきか否かを判定する（例えば、人材派遣会社を選択する）ことができる。その場合、コンサルタントはブロック４３０において供給元を選択することができる。ブロック４３２において、交換システム４０２は、選択された供給元のための求人のリストを掲載することができる。１つの例では、交換システム４０２は、交換システム４０２のデータベース内の求人レコードにアクセスする許可を更新することができる。別の例では、交換システム４０２は、（例えば、特定のユーザ名が求人にアクセスすることができるようにすることにより）選択された特定の供給元のみが求人を利用することができるようにすることができる。
【０１２８】
図１２Ａ〜図１２Ｂは、それを介してスカウトコンサルタント４０３が好ましい供給元を選択する（例えば、特定の人材派遣会社（複数可）および／または特定の採用担当者（複数可）を選択する）ことができる例示的なユーザインターフェース画面を示す。スカウトコンサルタント４０３は、例えば、１人または複数の特定の採用担当者を選択することができる。次に、スカウトコンサルタント４０３は、選択された供給元に仕事を掲載するためのオプションを選択することができる。図１２Ａは、それを介してコンサルタントが好ましい供給元を選択することができる例示的なユーザインターフェース画面１２００を示している。例えば、採用担当者は、特定の人材派遣会社および／または人材派遣会社の特定の採用担当者を選択することが可能であり得る。図１２Ｂは、それによってコンサルタントが仕事を交換に掲載するか、または好ましい供給元（例えば、画面１２００で選択された供給元）のみに掲載することを選択することができる例示的なユーザインターフェース画面１２１０を示す。交換システム４０２は、採用担当者選択を受信し、その後、通知を送信し、ユーザアクセスを提供し、またはコンサルタント選択に基づく他の措置を実行することができる。
【０１２９】
ブロック４３４において、交換システム４０２は、人材派遣会社（複数可）４０４に通知を送信して、人材派遣会社に掲載された仕事を通知することができる。いくつかの実施形態では、掲載された仕事に対する人材派遣会社の選択に応答して、交換システム４０２は、人材派遣会社に関連付けられる１人または複数のユーザ（例えば、採用担当者）に通知を自動的に送信することができる。１つの例では、交換システム４０２は、求人掲載に関する電子メールを採用担当者（複数可）に送信することができる。いくつかの実施形態では、交換システム４０２は、付加的にかつ／または代替的に、人材派遣会社の人材派遣プラットフォームに仕事情報を送信することができる。例えば、交換システム４０２は、仕事に関する情報を記憶するデータレコードを人材派遣プラットフォームに送信することができる。データレコードは、データレコード内の情報によって人材派遣プラットフォームを更新することができる。
【０１３０】
ブロック４３６において、交換システム４０２は、人材派遣会社４０４が、交換システム４０２によって提供されるインターフェース内で仕事を閲覧することを可能にすることができる。いくつかの実施形態では、交換システム４０２は、それによって人材派遣会社が仕事を閲覧することができるインターフェースを提供することができる。交換システム４０２は、例えば、人材派遣会社４０４が閲覧することができる仕事を、人材派遣会社４０４がアクセス権を与えられた仕事に制限することができる。１つの実施形態では、交換システム４０２は、求人掲載の許可を記憶することができ、それに従って、交換システム４０２は、いずれのユーザ（例えば、いずれの人材派遣会社）が特定の仕事へのアクセス権を有するかを決定する。交換システム４０２は、記憶されている許可に基づいて、交換システム４０２によって提供されるインターフェースにおいて、人材派遣会社４０４（例えば人材派遣会社のユーザ）が見ることができるものを制限することができる。
【０１３１】
再びブロック４２８に戻り、コンサルタントが、選択された供給元セットのみが仕事にアクセスすべきか否かを判定する（例えば、人材派遣会社を選択する）ことができ、コンサルタント４０３が、仕事が好ましい供給元のセットに限定されないと判定した場合、ブロック４４２に示すように、交換システム４０２は、すべての供給元（例えば、人材派遣会社および／または採用担当者）に仕事を掲載することができる。いくつかの実施形態では、交換システム４０２は、仕事レコードを仕事レコードのリポジトリ（例えば、スカウトマーケットプレイス（Ｓｃｏｕｔ  Ｍａｒｋｅｔｐｌａｃｅ））に送信することができる。例えば、交換システム４０２は、仕事レコードをスカウトマーケットプレイスに掲載することができる。
【０１３２】
ブロック４４４において、交換システム４０２は、スカウトマーケットプレイスに掲載された仕事を分析することができる。いくつかの実施形態では、交換システム４０２は、図２を参照して上述したように、スカウトマーケットプレイス内の仕事レコードに基づいて仕事に関する１つまたは複数の詳細を決定することができる。ブロック４４６において、いくつかの実施形態に従って、交換システム４０２は、仕事を共有すべき１つまたは複数の推薦供給元を決定することができる。いくつかの実施形態では、交換システム４０２は、仕事レコード４４４の分析に基づいて供給元（複数可）を決定することができる。例えば、交換システム４０２は、仕事が、１つまたは複数の供給元と頻繁に協働している雇用者に関連付けられると判定し得る。交換システム４０２は、１つまたは複数の供給元および／または雇用者の記憶されているやり取りのレコードにアクセスし、レコードに基づいて、供給元が雇用者と頻繁に協働していることを判定することができる。この場合、交換システム４０２は、供給元（複数可）を推薦供給元として決定することができる。実施形態は、これを行ういずれの特定の方法にも限定されないため、交換システム４０２は推薦供給元を決定する他の方法を使用することができる。例えば、交換システム４０２は、仕事の賃金率、場所、条件、必要な経験レベル、および／または仕事の他の詳細に基づいて、好ましい供給元を決定することができる。交換システム４０２は、仕事に関連付けられた記憶されている仕事レコードからそのような詳細にアクセスすることができる。
【０１３３】
ブロック４３８において、交換システム４０２は、人材派遣会社４０４に通知を送信して、掲載された仕事を人材派遣会社４０４に通知することができる。いくつかの実施形態では、掲載された仕事に対する推薦供給元（例えば、人材派遣会社）の選択に応答して、交換システム４０２は、人材派遣会社に関連付けられる１人または複数のユーザ（例えば、採用担当者）に通知を自動的に送信することができる。１つの例では、交換システム４０２は、求人掲載に関する電子メールを採用担当者（複数可）に送信することができる。いくつかの実施形態では、交換システム４０２は、付加的にかつ／または代替的に、人材派遣会社の人材派遣プラットフォームに仕事情報を送信することができる。例えば、交換システム４０２は、仕事に関する情報を記憶するデータレコードを人材派遣プラットフォームに送信することができる。データレコードは、データレコード内の情報によって人材派遣プラットフォームを更新することができる。いくつかの実施形態によれば、交換システム４０４はさらに、推薦される人材派遣会社４０４が、上述のようにブロック４３６において交換システム４０２によって提供されるインターフェース内で仕事を閲覧することを可能にし得る。
【０１３４】
図５Ａ〜図５Ｃは、本発明の１つの実施形態による、分散コンピュータシステムにおいて労働者（例えば、一時労働者）を仕事（例えば、求人）に紹介するための例示的なプロセス５００を示す。例えば、例として、図５Ａ〜図５Ｃは、雇用者における応募者追跡システム（ＡＴＳ）５０１、交換システム５０２（例えば、交換システム１０１）、スカウトコンサルタントシステム５０３、および人材派遣会社システム５０４（例えば、人材派遣プラットフォーム）の間のやり取りを含むプロセスを示している。
【０１３５】
ブロック５０６において、交換システム５０２は、仕事を１つまたは複数の人材派遣会社に掲載することができる。図２を参照して上述した通りである。いくつかの実施形態によれば、ブロック５０８において、交換システムは、それぞれの人材派遣会社（例えば人材派遣会社システム５０４を使用する）が好ましいまたは推薦される供給元（例えば人材派遣会社または採用担当者（複数可））であるか否かを判定することができる。１つの実施形態に従って、ブロック５１２において、人材派遣会社が好ましい供給元である場合、人材派遣会社には、図４を参照して上述したように、交換システム１０２における新しい仕事に関する通知が送られ得る。例えば、人材派遣システム５０４のユーザ（例えば、採用担当者）は、交換システム５０２内の新しい仕事についての電子メールを受信することができる。１つの実施形態に従って、供給元が好ましい供給元または推薦供給元ではない場合、供給元は交換システム５０２内で仕事を探すことができる。例えば、交換システムは、好ましいおよび／または推薦供給元専用に指定された期間が経過した後、好ましくないまたは推薦されていない供給元が仕事にアクセスすることを可能にすることができる。いくつかの実施形態では、交換システム５０２は、その仕事の仕事レコードを記憶する中央リポジトリを有することができる。例えば、交換システム５０２は、図１を参照して上述したように、仕事レコードを記憶するデータベースを有することができる。
【０１３６】
いくつかの実施形態では、交換システム５０２は、いずれのユーザ（複数可）が一定期間（例えば、１日、２日、１週間、１ヶ月など）にわたって仕事にアクセスすることができるかをさらに制限することができる。交換システム５０２は、好ましい供給元および／または推薦供給元に対しある期間にわたって仕事へのアクセスを制限し、その後、他の供給元へアクセスを許可することができる。例えば、交換システム５０２は、好ましい供給元および／または推薦供給元のユーザインターフェースに仕事を表示しながら、好ましくない供給元および／または推薦されていない供給元のユーザインターフェースに仕事が表示されないように制限することができる。いくつかの実施形態では、交換システム５０２は、交換システム５０２のデータベースに様々な供給元（例えば、人材派遣会社（複数可）、採用担当者（複数可））に対する許可を記憶することができる。交換システム５０２は、記憶されている許可を使用して、いずれの供給元が所与の仕事にアクセスすることができるかを決定することができる。１つの実施形態によれば、ブロック５１２において、ユーザは、一定期間後（例えば、２日後）に仕事を探すことができる。この期間は、例えば、排他的期間として参照される場合がある。
【０１３７】
その後、ブロック５１４〜５１６において、人材派遣会社システム５０４のユーザは、その特定の仕事のリスト詳細を検討することができる。ユーザは、例えば、仕事を保存し、仕事の志望者の探索に取り組むことができる。いくつかの実施形態において、使用は、可能性のある志望者を求めて人材派遣システム５０４を検索することができる。人材派遣システム５０４は、志望者レコードを追跡するために使用される応募追跡システム（ＡＴＳ）を備えることができる。ブロック５１８において、人材派遣会社は、考慮されるべき１人または複数の志望者を提出することもできる。いくつかの実施形態では、ブロック５２０において、人材派遣システム５０４が仕事に対する志望者を提出すると、交換コンサルタントはコンサルタントシステム５０３を介して新しいリストを検討することができる。１つの例では、コンサルタントシステム５０３は、ブロック５２２においてコンサルタントが履歴書を検討することを可能にし得る。交換システム５０２は、例えば、コンサルタント５０３に、履歴書を閲覧するためのユーザインターフェースを提供することができる。いくつかの実施形態では、コンサルタント５０３はさらに、ブロック５２４において、コンサルタントシステムを介して質問することができる。いくつかの実施形態では、コンサルタントシステム５０３は、スカウトコンサルタントシステム５０３を介して提出された質問を人材派遣会社システム５０４に送信することができる。ブロック５２５において、人材派遣会社（例えば、人材派遣会社の採用担当者）は、志望者について受信した質問に応答することができる。
【０１３８】
いくつかの実施形態では、交換システム５０２が志望者の提出を受信すると、交換システム５０２は、記憶されている労働者レコード（例えば、一時労働者レコード１０３）を仕事と照合することができる。例えば、交換システム５０２が以前の提出において志望者を受信したとき、または人材派遣会社のユーザが志望者に関する情報を入力してあったときに、交換システム５０２は、志望者に関連付けられる労働者レコードを以前に記憶している場合がある。交換システム５０２が現在の仕事に対し同じ志望者の提出を受信すると、交換システム５０２は、労働者の記憶されているプールからの労働者の提出を記憶することができる。記憶されている労働者のプールは、人材派遣会社５０４に関連付けられ得る。１つの事例において、提出された志望者の労働者レコードが存在しない場合、交換システム５０２は、労働者を他の仕事に対して後に提出するのに使用するために、労働者レコードを生成して交換システムのデータベース（例えば、労働者データベース１０４）に記憶することができる。さらに、交換システム５０２は、労働者レコードをプール（例えば、プール１０２）にさらに記憶することができる。いくつかの実施形態では、交換システム５０２は、そのプールを、プールに記憶されている労働者を提出した人材派遣会社に関連付けることができる。
【０１３９】
ブロック５２２において履歴書を審査した後、コンサルタントはさらに志望者５２６の処遇を決めることができる。いくつかの実施形態では、コンサルタントは、志望者がコンサルタントにとってその仕事に補充しようとする対象であるか否かを示すことにより志望者の処遇を決めることができる。志望者がコンサルタントにとって関心の対象である場合、またはそうでない場合にはポジションに関する認定または要件を満たす場合、交換コンサルタントはブロック５２８において志望者を交換システム５０２に提出することができる。しかし、志望者が仕事に対する関心の対象ではないことをコンサルタントが提出した場合、コンサルタントはブロック５３０において志望者を関心のないものとしてマークすることができる。いくつかの実施形態では、交換システム５０２は、志望者が特定の仕事に対して関心の対象ではないという指示を記憶するために、志望者に関連付けられた志望者レコードを更新することができる。いくつかの実施形態では、ブロック５３２において、人材派遣会社は、志望者が拒絶されたという指示を受信することができる。例えば、採用担当者（複数可）は、志望者が求人に対して拒絶されたことを示す電子メールを受信し得る。別の例では、交換システム５０２は、志望者が仕事に対する関心の対象ではないことを示すメッセージを人材派遣システム５０４に送信することができる。人材派遣会社システム５０４は、採用担当者（複数可）に対して、拒絶を示す警告を表示することができる。
【０１４０】
ブロック５２８において、コンサルタントは仕事に対する志望者を提出することができる。１つの実施形態では、交換は、システム内で規定された重複志望者があるか否かを判定することができる。いくつかの実施形態によれば、交換システム５０２は、ブロック５３４において、仕事に対して志望者が提出されるときに、重複する志望者が交換システム５０２に存在するか否かを判定することができる。オンライン雇用システムでは、複数の人材派遣会社（複数の採用担当者など）が仕事に対して同一の志望者を提出する場合がよくある。したがって、従来のシステムでは、いずれの採用担当者を志望者に関連付けるかを決定することができない。例えば、従来のシステムは、志望者に関していずれの採用担当者に連絡するか、および志望者が雇用された場合にいずれの採用担当者に支払うべきかを決定することができない。本発明の１つの態様によれば、特定の人材派遣会社のみが特定の紹介に対して支払われ得ると判定されるため、システムは重複志望者の可能性を排除する。１つの態様によれば、特定のポジションに対する志望者を掲載する最初の事業体が、金銭的利益を受ける。いくつかの実施形態によれば、交換システム５０２は、様々な仕事に対し提出された志望者の志望者レコードを維持する。交換システム５０２は、特定の採用担当者および／またはデータベース内の仕事レコードへの志望者のマッピングを記憶することができる。したがって、交換システム５０２は、交換システム５０２のデータベースに記憶されているマッピングをチェックすることにより、志望者が仕事に対する重複志望者であるか否かを判定することができる。
【０１４１】
ブロック５３４において、志望者が重複志望者ではないと交換システム５０２が判定した場合、交換システム５０２はブロック５３６に進み、システム５０２が、ブロック５３６において志望者を雇用者ＡＴＳ５０１にインポートする。いくつかの実施形態では、交換システム５０２は、スカウトコンサルタントシステム５０３から志望者レコードを取り出し、雇用者ＡＴＳ５０１に志望者レコードをインポートすることができる。ブロック５３４において、志望者が重複志望者であると交換システム５０２が判定した場合、交換システム５０２はブロック５３８に進み、システムが、雇用者ＡＴＳ５０１において志望者を上書きすべきか否かを判定する。いくつかの実施形態では、交換システム５０２は、志望者が雇用者ＡＴＳ５０１において上書きされるべきか否かに関する入力を提供するようコンサルタントに要求することができる。いくつかの実施形態では、交換インターフェース５０２は、志望者を上書きすべきか否かをコンサルタントがそれを介して入力することができるユーザインターフェース画面を生成することができる。ブロック５３８において、交換システム５０２がＡＴＳ５０１において志望者を上書きすべきでないことを示す入力を受信した場合、志望者はブロック５３０において関心がないとしてマークされ、ブロック５３２において拒絶通知が採用担当者に送信されるか、または志望者が提出され得る。ブロック５３８において、交換システム５０２が、ＡＴＳ５０１において志望者を上書きすべきであることを示す入力を受信した場合、ブロック５３６において志望者がインポートされ、システムに記憶されている既存の志望者に置き換わることができる。いくつかの実施形態では、交換システム５０２は、交換システム５０２のデータベースに記憶されている志望者レコードを、提出された志望者レコードの新しい志望者レコードに置き換えることができる。別の実施形態では、交換システム５０２は、志望者提出からの情報に基づいて志望者レコード内のフィールドを更新することができる。
【０１４２】
志望者が一意であると交換システム５０２が判定した場合、または交換システム５０２が既存の志望者を上書きする指示を受信した場合、交換システム５０２は、ブロック５４０において、コンサルタントが雇用者に連絡し、面接をスケジュールすることを許可することができる。本発明の１つの態様によれば、雇用者のＡＴＳ５０１システムへの直接リンクが提供され、志望者を雇用者システム５０１内でブロック５４２においてＡＴＳ５０１ワークフローを通じて移動することができる。雇用者ＡＴＳシステム５０１において志望者が雇用された場合、ＡＴＳシステム５０１は交換システム５０２に連絡して雇用を示すことができる。いくつかの実施形態では、交換システム５０２は、雇用者ＡＴＳシステム５０１から志望者が雇用されたことを示すメッセージを受信することができる。いくつかの実施形態では、指示の受信に応答して、交換システム５０２は、図６を参照して以下でさらに説明されるように、紹介ハンドシェイクを開始することができる。
【０１４３】
いくつかの実施形態では、ブロック５４８に示されるように、交換システム５０２は、紹介ハンドシェイクを開始するための指示を人材派遣会社に送信することができる。例えば、交換システム５０２は、ハンドシェイクを開始するために人材派遣会社システム５０４にメッセージを送信することができる。ブロック５４４において応募者が受け入れられない場合、志望者を拒絶されたものとして識別するための指示が人材派遣会社に送られる。いくつかの実施形態では、交換システム５０２は、ブロック５５０において、雇用者ＡＴＳシステム５０１から拒絶に関する指示（例えば、メッセージ）を受信することができる。それに応答して、交換システム５０２は、志望者が拒絶されたことを示すために、志望者の志望者レコードを更新することができる。例えば、交換システム５０２は、交換システム５０２のデータベースに記憶されている志望者レコードのフィールドを更新することができる。交換システム５０２はさらに、ブロック５５２において、志望者ステータスの変化に関する通知を人材派遣会社５０４に送信することができる。いくつかの実施形態では、交換システム５０２は、人材派遣会社システム５０４に送られる通知を自動的にトリガすることができる。いくつかの実施形態において、交換システム５０２は、付加的および／または代替的に、志望者ステータスについての電子メールをユーザ（例えば、採用担当者）に送信することができる。
【０１４４】
図１３Ａ〜図１３Ｂは、志望者をポジションに紹介するための例示的なユーザインターフェースを示している。図１３Ａは、人材派遣会社（例えば、採用担当者）が求人に対する志望者を提出することができる例示的な画面１３００を示している。人材派遣会社は、労働者の名前、会社名、電子メールアドレス、職名、求人ＩＤ、および他の情報など、労働者に関する情報を入力することができる。交換システムは、ユーザインターフェース画面１３００を介して提出された情報を使用して志望者レコードを生成することができる。図１３Ｂは、雇用者が労働者を検討するために使用することができる例示的なユーザインターフェース画面１３１０を示している。交換システムは、雇用者が志望者を検討し、紹介のために志望者を受け入れることを決定することを可能にするためのユーザインターフェース画面１３１０を生成することができる。
【０１４５】
図６（図６Ａ〜図６Ｂ）は、本発明の様々な態様による複数のシステム間で紹介ハンドシェイクを実行するための例示的なプロセス６００を示している。特に、図６Ａ〜図６Ｂは、雇用会社（例えば、志望者の雇用者）の応募者追跡システム（ＡＴＳ）６０１、交換システム６０２（例えば、スカウト交換システム１０１）、スカウトコンサルタントシステム６０３、人材派遣会社システム６０４、および交換ファイナンスシステム６０５（例えば、スカウトファイナンス（ｓｃｏｕｔ  ｆｉｎａｎｃｅ））の間のやり取りを含むプロセスを示す。
【０１４６】
ＡＴＳ内で、ブロック６０６において、雇用会社６０１は、志望者ステータスを雇用済みに更新することができ、その後、ＡＴＳシステム内のコネクタが、交換システム６０２と通信する。１つの実施形態では、ブロック６０８において、交換システム６０２は、雇用ハンドシェイクプロセスを開始するために、スカウトコンサルタントシステムに通知電子メールを送ることができる。いくつかの実施形態では、交換システム６０２は、雇用会社ＡＴＳ６０１から更新された志望者雇用済みステータスを受信することに応答して、電子メールを送ることができる。いくつかの実施形態では、交換システム６０２は、ブロック６１０において、スカウトコンサルタントシステム６０３とハンドシェイクを実行し、スカウトコンサルタントシステムはその後、人材派遣会社システム６０４に志望者ステータス更新を送信することができる。いくつかの実施形態では、交換システム６０２は、志望者ステータスが雇用済みであることを示すために、人材派遣会社システム６０４内の志望者ステータスを更新することができ、ブロック６１４において紹介ハンドシェイクが開始される。例えば、人材派遣コンピュータシステムにおいて志望者ステータスが雇用済みに更新されるのに応答して、交換システム６０２は、ブロック６１４において紹介ハンドシェイクを自動的に開始することができる。
【０１４７】
ブロック６１６において、交換システム６０２は、人材派遣会社（例えば、人材派遣会社の採用担当者）に通知（例えば、電子メール）を送信することができる。いくつかの実施形態では、通知は紹介フォームを含むことができる。ブロック６１８〜６２０において、人材派遣会社の採用担当者（ＳＦＲ）は紹介フォームを編集し、検討を遂行する。いくつかの実施形態において、交換システム６０２は、ブロック６２２において、雇用会社（例えば、仕事の所有者）に通知（例えば、電子メール）を送る。いくつかの実施形態によれば、交換システム６０２は、ＳＦＲの検討完了のに応答して通知を送ることができる。その後、雇用会社はさらに、ブロック６２４において志望者紹介フォームを編集することができる。条件が変更されていない場合、検討は完了し、ハンドシェイクが完了する。ただし、条件のいずれかが変更されている場合は、条件の合意を調整するために通知が送受信される場合がある。
【０１４８】
いくつかの実施形態では、ブロック６２６において、雇用会社は条件に変更を加えることができる。紹介の条件に変更が加えられる場合、交換システム６０２は、ブロック６２８において変更の指示を受信することができる。それに応答して、交換システム６０２は、変更された条件の通知を人材派遣会社（例えば、採用担当者）に送信することができる。いくつかの実施形態では、交換システム６０２は、交換システム６０２によって採用担当者に提示されるユーザインターフェースにおいて採用担当者に警告通知を送信することができる。ブロック６３０において、変更された条件を受信すると、人材派遣会社は条件の変更を検討することができる。１つの態様によれば、システムは、エスカレーションのためにコンサルタントに連絡するための制御手段を含み得る。採用担当者はさらに、ブロック６３２において変更をエスカレーションすることを決定することができる。ブロック６３２において変更がエスカレーションされた場合、交換システム６０２は、エスカレーションの指示（例えば、メッセージ）を受信し、それに応答して、ブロック６３４においてエスカレーションするためにコンサルタントに通知（例えば、電子メール）を送信することができる。ブロック６３６において、コンサルタントはエスカレーションに対処することができる。いくつかの実施形態では、コンサルタントは、コンサルタントに提示される交換システム６０２のユーザインターフェースにおいてエスカレーションの通知を受信することができる。コンサルタントは、ユーザインターフェースを介してエスカレーションに対処することができる。
【０１４９】
コンサルタントがブロック６３６においてエスカレーションに対処した場合、交換システム６０２は、エスカレーションが対処されたという指示を受信することができる。いくつかの実施形態では、交換システム６０２は、コンサルタントが（例えば、ウェブページまたはアプリケーションの）ユーザインターフェースに情報を入力することに応答して指示を受信することができる。交換システム６０２は、ブロック６３８において、調整の通知（例えば、電子メール）を人材派遣会社の採用担当者に送信することができる。調整を受信すると、採用担当者はブロック６４２において検討を完了することができる。交換システムは、ブロック６４０において、付加的および／または代替的に、ブロック６４０において調整を確認する通知（例えば、電子メール）を仕事所有者に送信することができる。仕事所有者はさらに、ブロック６６２において検討を完了することができる。人材派遣会社と仕事所有者の両方が検討を完了すると、ブロック６４４において交換システムはハンドシェイクを完了することができる。
【０１５０】
ブロック６３２に再び戻って、人材派遣会社の採用担当者が、ブロック６２６において雇仕事所有者によって提供された変更をエスカレーションしないことを決定した場合、人材派遣会社の採用担当者は、ブロック６４１においてさらなる条件変更を行うことを決定することができる。ブロック６４１において採用担当者が条件にさらに変更を加えないと決定した場合、採用担当者はブロック６４２において採用担当者の検討を完了することができる。しかし、採用担当者がブロック６４１において条件に変更を加えることを決定した場合、交換システム６０２は、変更の通知を仕事所有者に送信することができる。例えば、交換システム６０２は、人材派遣会社から変更された条件の通知を受信することができる。それに応答して、交換システム６０２は、変更を検討するために、通知（例えば、電子メール）を仕事所有者に自動的に送信することができる。ブロック６５８において、仕事所有者は採用担当者によって提出された変更を検討することができる。ブロック６６０において、仕事所有者は、この問題をエスカレーションするか否かを判定することができる。仕事所有者がブロック６６０においてエスカレーションすることを決定した場合、プロセスはブロック６３４に進み、上述のエスカレーションプロセスを開始することができる。ただし、仕事所有者がブロック６６０でエスカレーションしないことを決定した場合、仕事所有者は６６２において検討を完了することができる。次いで、プロセスはブロック６４４に進み、交換システム６０２がハンドシェイクを完了する。
【０１５１】
交換システム６０２がハンドシェイクを完了するブロック６４４に再び戻ると、いくつかの実施形態によれば、交換システム６０２は、交換システム６０２のデータベースに記憶されているハンドシェイクステータスを更新することができる。いくつかの実施形態では、ハンドシェイクステータスの完了を受けて、交換システム６０２はさらに、紹介に関与する関係者に通知（例えば、電子メール）を送ることができる。いくつかの実施形態では、ブロック６４６〜６５０に示されるように、交換システム６０２は、採用担当者（ブロック６４６）、仕事所有者（ブロック６４８）、ならびに／またはスカウトファイナンスおよびコンサルタント（ブロック６５０）に通知を送信することができる。いくつかの実施形態では、ハンドシェイクの完了時に、交換システム６０２は付加的に、支払いを検討およびセットアップするための通知をファイナンスシステム６０５に送信することができる。いくつかの実施形態では、ファイナンスシステムは、ファイナンス検討およびセットアッププロセスを管理および実行する、交換システム６０２の構成要素を備えることができる。条件が合意された場合、システムにおける志望者の最終的なファイナンス検討およびセットアップの連絡が行われ、認証サービス内で労働者ロールおよび承認者ロールが作成される。その後、労働者にはタイムシートを作成および編集することが許可され得、承認者は支払いのためにタイムシートを承認することが可能であり得る。いくつかの実施形態では、ブロック６５２に示されるように、交換システム６０２はさらに、認証サービスにおいて労働者および承認者を作成することができる。いくつかの実施形態では、交換システム６０２は、交換システム６０２のデータベースに新しい労働者および承認者のロールを記憶することができる。交換システム６０２は、例えば、労働者がタイムシートを作成および編集することを可能にし、承認者が例えば支払いのためにタイムシートを承認することを可能にすることができる。本明細書で説明される技術の実施形態による様々なシステム間の例示的なやり取りが、図７Ａ〜図７Ｂを参照して以下で議論される。
【０１５２】
図７（図７Ａ〜７Ｂ）は、本発明の様々な態様による複数のシステム間でタイムシートを処理および承認するための例示的なプロセス７００を示している。特に、図７Ａ〜図７Ｂは、雇用者システム７０１（例えば、雇用管理者または代理人によって操作される）、交換システム７０２（例えば、交換システム１０１）、スカウトコンサルタントシステム７０３、人材派遣会社システム７０４、および労働者システム７０５の間のやり取りを含むプロセスを示す。
【０１５３】
ブロック７０６において紹介が完了した後、交換システム７０２は、ブロック７２４においてタイムシートアプリケーション内で承認者を設定することができる。いくつかの実施形態では、交換システムは、新しいレコードを生成するか、または、データベース７０２内で承認者に関連付けられた既存のレコードにアクセスすることができる。交換システム７０２は、ユーザが承認者として割り当てられたことを反映するためにレコードを更新することができる。例えば、交換システム７０２は、ユーザに関連付けられたレコード内で「承認者」ロールをユーザに割り当てることができる。さらに、交換システム７０２は、ブロック７０８においてタイムシートアプリケーション内に労働者を設定することができる。いくつかの実施形態では、交換システム７０２は、労働者を設定するために、交換システム７０２のデータベース内の記憶されているレコードを更新することができる。例えば、交換システム７０２は、タイムシートにおいて労働者を設定するために、ユーザに関連付けられたレコード内で「労働者」ロールをユーザに割り当てることができる。
【０１５４】
いくつかの実施形態では、交換システム７０２は、承認者を設定する通知を雇用者システム７０１に送信することができる。いくつかの実施形態では、交換システム７０２は、通知（例えば、電子メール、インターフェース内の警告）を送信することができる。承認者（例えば、雇用管理者または代理人）が設定されると、承認者はブロック７２６においてタイムシートアプリケーションへのログイン情報（例えば、ユーザ名）を作成することができる。承認者は、雇用者システム７０１を介してタイムシートアプリケーションにアクセスすることができる。労働者は、ブロック７２６においてパスワードを作成し、タイムシートアプリケーションにログインすることもできる。ブロック７２８において、承認者はログイン情報を使用してタイムシートアプリケーションにサインインすることができる。
【０１５５】
いくつかの実施形態では、交換システム７０２はタイムシートアプリケーションを含むことができる。タイムシートアプリケーションは、例えば、交換システム７０２の構成要素を含むことができる。他の実施形態では、タイムシートアプリケーションは、別個のコンピュータシステム上で実行される別個のシステムを含んでもよい。
【０１５６】
いくつかの実施形態によれば、労働者は、設定されると、ブロック７１０においてタイムシートアプリケーションへのログイン情報（例えば、ユーザ名、パスワード）を作成することもできる。労働者は、ブロック７１０において作成されたログイン情報を使用して、ブロック７１２においてタイムシートアプリケーションにログインすることができる。ログインすると、労働者はブロック７１４において紹介を選択することができる。例えば、労働者が複数の仕事リストに紹介されている場合、労働者は特定の紹介を選択する選択肢を有することができる。ブロック７１６〜７２０において、労働者は新しいタイムシートを作成し、それを編集し、交換システム７０２を通じて承認のために提出する。いくつかの実施形態によれば、交換システム７０２は、タイムシートの提出を受信すると、検討のために雇用者システム７０１にタイムシートを自動的に送信することができる。例えば、交換システム７０２は、タイムシートアプリケーションのユーザインターフェース（例えば、ウェブページ、アプリケーションの画面）を介してタイムシートの提出を受信することができる。それに応答して、交換システム７０２は、タイムシートを雇用者システム７０１に送信し、雇用者システム７０１がタイムシートアプリケーションのユーザインターフェースでタイムシートを閲覧することを可能にすることができる。いくつかの実施形態では、ブロック７２１に示されるように、交換システム７０２は、提出されたタイムシートの通知を送信することができる。例えば、タイムシート提出の受信に応答して、交換システム７０２は、承認者への電子メールおよび／または雇用者システム７０１への通知（例えば、ユーザインターフェースでの警告）を送信することができる。
【０１５７】
ブロック７３０において、承認者は提出されたタイムシートを検討することができる。例えば、承認者はタイムシートアプリケーションのユーザインターフェース内でタイムシートを閲覧することができる。ユーザインターフェースは、タイムシートを承認するオプションを提供することができる。ブロック７３２において、承認者が提出されたタイムシートを承認する場合、交換システム７０２は、ブロック７３４においてタイムシートを使用して請求プロセスを実行することができる。いくつかの実施形態では、タイムシートが承認されると、交換システム７０２は承認の通知を受信することができる。交換システム７０２は、それに応答して、提出されたタイムシートを使用して請求書発行のプロセスを実行することができる。ブロック７３２において承認者が提出されたタイムシートを拒絶した場合、労働者はブロック７２２において拒絶されたタイムシートを更新する必要があり得る。いくつかの実施形態では、交換システム７０２は、タイムシートが更新されるべきであることを労働者に知らせる通知を労働者システム７０５に送信することができる。例えば、交換システム７０２は、電子メールを労働者に送信し、および／またはタイムシートが更新されるべきであることを労働者に知らせる指示をタイムシートアプリケーションのユーザインターフェース内に生成することができる。次いで、労働者は、ブロック７２２においてタイムシートを更新し、次いで、上述のようにブロック７２０において承認のためにタイムシートを提出することができる。
【０１５８】
いくつかの実施形態では、交換システム７０２は、スカウトコンサルタントシステム７０３に様々な監視機能を提供することができる。コンサルタントはこの機能を使用して、タイムシートの提出、承認、および／または正確性を監視することができる。ブロック７３８において、コンサルタントはタイムシートキュー７３８を監視することができる。例えば、交換システム７０２は、コンサルタントシステム７０３に、労働者（複数可）によって提出されたタイムシートのキューを提示することができる。いくつかの実施形態では、コンサルタントシステム７０３はさらに、ブロック７４４に示されるように、未承認のタイムシートの通知を受信することができる。ブロック７４０において、コンサルタントは、雇用者ユーザ（例えば、雇用管理者）に未承認のタイムシートについて連絡することができる。いくつかの実施形態では、交換システム７０２は、コンサルタントに、未承認のタイムシートを雇用管理者に通知するオプションを提供することができる。ブロック７４６に示されるように、コンサルタントシステムは、タイムシートが提出されていないという通知を受信することができる。例えば、雇用者のために働き始めた後、労働者がタイムシートを提出していない場合がある。ブロック７４２において、コンサルタントは、労働者に関連付けられる人材派遣会社（例えば、採用担当者）に連絡することができる。コンサルタントは、例えば、タイムシートを提出させるように会社にリマインドすることができる。いくつかの実施形態では、交換システム７０２は、コンサルタントシステム７０３に、タイムシートが出ていないことを人材派遣システムに通知するオプションを提供することができる。
【０１５９】
図１４Ａ〜図１４Ｂは、本明細書で説明する技術のいくつかの実施形態によるタイムシートアプリケーションの例示的なユーザインターフェース画面を示す。図１４Ａは、労働者が作成、アクセス、編集、および提出することができるユーザインターフェース画面１４００を示す。労働者は、例えば、勤務時間、勤務日、出勤時刻、退勤時刻、および他の情報を入力することができる。次に、労働者は入力されたタイムシートを提出し、タイムシートは検討のために承認者に送られることができる。図１４Ｂは、承認者が閲覧することができるユーザインターフェース画面１４１０を示している。承認者は、例えば、１人または複数の労働者によって提出された複数のタイムシート提出を見ることができる。承認者は、各タイムシート提出を拒絶または承認することを選択することができる。
【０１６０】
図８は、本発明の１つの実施形態による、労働者（例えば、一時労働者）に関連して複数のシステム間で請求書発行および支払いを実行するための例示的なプロセス８００を示す。特に、図８Ａ〜図８Ｂは、志望者の雇用者の雇用者システム８０１、交換システム８０２（例えば、スカウト）、スカウトコンサルタントシステム８０３、および人材派遣会社システム８０４の間のやり取りを含むプロセスを示す。
【０１６１】
プロセス８００は、ブロック８０６において紹介ハンドシェイクが完了すると実行され得る。ハンドシェイクは、例えば、図６を参照して上述したように実行されてもよい。ブロック８０８において、交換システム８０２は、承認のために連絡されるファイナンスシステムに連絡することができる。ファイナンスシステムから承認を受信すると、交換システム８０２はタイムシート承認プロセス（例えば、図７を参照して上述したプロセス７００）を開始することができる。その後、１つまたは複数のタイムシートがブロック８１２において入力および承認され得、１つまたは複数の請求書が作成され得る。
【０１６２】
いくつかの実施形態では、交換システム８０２は、タイムシートの提出から受信した情報を収集することができる。例えば、交換システム８０２は、タイムシートに基づいて給与情報を収集することができる。交換システム８０２は、給与情報をコンサルタントシステム８０３に送信することができる。コンサルタントシステム８０３は、ブロック８１４において、給与情報を収集し、人材派遣会社システム８０４に送ることができる。ブロック８１６において、人材派遣会社は給与情報を受信することができる。
【０１６３】
ブロック８１８において、交換システム８０２は、承認されたタイムシートを使用して請求書項目を生成することができる。請求書項目は、請求書の生成に使用されるべき情報（勤務時間、勤務日、および他の情報に関連するデータなど）を含み得る。ブロック８２０において、交換システム８０２は、請求書（複数可）を生成することができる。そのような請求書は、システム内に入力されている、承認されたタイムシートに基づいて、交換システム８０２によって定期的に作成されてもよい。例えば、特定の請求日に、交換システム８０２は請求書を生成することができる。ブロック８２６において、交換システム８０２は、処理のために生成された請求書を雇用者に送信することができる。例えば、交換システム８０２は、生成された請求書を自動支払い（ＡＰ）システムに送信することができる。雇用者は、ブロック８２８において支払いを処理し、次にブロック８３０において支払いを支給することができる。
【０１６４】
いくつかの実施形態によれば、ブロック８３０において支払いが支給れると、交換システム８０２は、支給された支払いの通知を受信することができる。いくつかの実施形態において、交換システム８０２は、ブロック８２４において、志望者の紹介に関係する１人または複数の当事者（例えば、人材派遣会社、採用担当者、交換システム管理者）に支払いを自動ルーティング（ＡＲ）することができる。いくつかの実施形態では、支払いが支給されると、交換システム８０２は、１つまたは複数の人材派遣会社に自動的に支払いを支給することができる。いくつかの実施形態では、ブロック８３２に示されるように、交換システム８０２は、人材派遣会社の支払い（複数可）の期日（複数可）を設定することができる。交換システム８０２は、現在の時刻が期日と一致するか否かを判定することができる。現在の時刻が期日と一致する場合、交換システム８０２は、ブロック８３４において人材派遣会社への支払いの送信をトリガすることができる。ブロック８３６において、人材派遣会社は支払いを受けることができる。１つの例では、交換システム８０２は、人材派遣会社の口座への送金を自動的に開始することができる。
【０１６５】
いくつかの実施形態では、交換システム８０３はさらに、コンサルタントが様々な機能を実行することを可能にし得る。例えば、交換コンサルタントは、ブロック８４０に示すように紹介エスカレーションを処理するなどの動作を実行することができる。コンサルタントは、例えば、紹介する当事者（例えば、雇用者と労働者）間の条件の不一致の結果として、紹介をエスカレーションすべきか否かを判定する場合がある。紹介後、コンサルタントはタイムシートの提出および承認を監視することができる。交換システム８０２は、例えば、（例えば、交換システム８０２によって生成されたユーザインターフェースにおいて）１人または複数の労働者から提出されたタイムシートのキューをユーザに提供することができる。交換システム８０２は、提出されたタイムシートのステータス（例えば、承認済み、未承認）、提示日、および／またはタイムシートに関する他の情報を表示するユーザインターフェースを生成することができる。いくつかの実施形態では、交換システム８０２は、ユーザの行動（例えば、労働者による提出および／または雇用管理者による承認）に応答して情報を更新することができる。コンサルタントはこの情報を使用して、タイムシートの承認および提出を監視することができる。
【０１６６】
本発明者らは、システム間の直接の連絡が事業体に支払いを通信するため、志望者の紹介に関与する１つまたは複数の事業体に支払いを分配するプロセスがより効率的になることを認識および理解している。例えば、図８を参照してプロセス８００で上述したように、交換システムは、人材派遣会社に支払いを自動的に分配することができる。交換システムは、複数の事業体間のやり取りを統合することにより、タイムシートの提出、タイムシートの承認、および支払いの分配の管理が可能になる。さらに、交換システムにより、ユーザの行動に応答して様々な機能を即座に実行することができる。例えば、雇用者からの支払いの受領に応答して、人材派遣会社への支払い分配を実行することができる。
【０１６７】
スカウトコンサルタントシステムが上記の図４〜図８に別個に示されているが、実施形態はこのように限定されない。いくつかの実施形態によれば、スカウトコンサルタントシステムは、交換システムの構成要素を備えてもよい。他の実施形態では、スカウトコンサルタントシステムは、交換システムに通信可能に結合された別個のシステムを備えてもよい。
【０１６８】
本明細書で説明される様々な態様および機能は、１つまたは複数の専用コンピュータシステムで実行される専用ハードウェアまたはソフトウェア構成要素として実施され得る。特別にプログラムまたは特別に構成することができる、現在使用されているコンピュータシステムの多くの例がある。これらの例としては、とりわけ、ネットワークアプライアンス、パーソナルコンピュータ、ワークステーション、メインフレーム、ネットワーククライアント、サーバ、メディアサーバ、アプリケーションサーバ、データベースサーバ、およびウェブサーバが挙げられる。コンピュータシステムの他の例としては、モバイルコンピューティングデバイス（例えば、スマートフォン、タブレットコンピュータ、および個人情報端末）およびネットワーク機器（例えば、ロードバランサ、ルータ、およびスイッチ）を含み得る。モバイルコンピューティングデバイスの特定のモデルの例としては、Ａｐｐｌｅから入手可能なｉＯＳオペレーティングシステムを実行するｉＰｈｏｎｅ（登録商標）、ｉＰａｄ（登録商標）、およびｉＰｏｄ（登録商標）  Ｔｏｕｃｈ、Ｓａｍｓｕｎｇ  Ｇａｌａｘｙシリーズ、ＬＧ  Ｎｅｘｕｓ、およびＭｏｔｏｒｏｌａ  Ｄｒｏｉｄ  ＸなどのＡｎｄｒｏｉｄデバイス、Ｂｌａｃｋｂｅｒｒｙ  Ｌｉｍｉｔｅｄから入手可能なＢｌａｃｋｂｅｒｒｙデバイス、ならびにＷｉｎｄｏｗｓ（登録商標）  Ｐｈｏｎｅデバイスが挙げられる。さらに、諸態様は、単一のコンピュータシステム上に配置されてもよく、または、１つまたは複数の通信ネットワークに接続された複数のコンピュータシステム間で分散されてもよい。
【０１６９】
例えば、様々な態様、機能、およびプロセスを、１つまたは複数のクライアントコンピュータにサービスを提供するように、または図１５に示す分散コンピュータシステム１５００などの分散システムの一部としてタスク全体を実行するように構成された、１つまたは複数のコンピュータシステムの間で分散させることができる。さらに、様々な機能を実行する１つまたは複数のサーバシステムに分散された構成要素を含む、クライアントサーバシステムまたは多層システム上で諸態様を実行することができる。したがって、実施形態は、特定のシステムまたはシステムのグループで実行することに限定されない。さらに、態様、機能、およびプロセスは、ソフトウェア、ハードウェア、ファームウェア、またはそれらの任意の組み合わせで実施されてもよい。したがって、態様、機能、およびプロセスは、様々なハードウェアおよびソフトウェア構成を使用して、方法、行為、システム、システム要素、および構成要素内で実施することができ、例は任意の特定の分散アーキテクチャ、ネットワーク、または通信プロトコルに限定されない。
【０１７０】
図１５を参照すると、様々な態様および機能が実践される分散コンピュータシステム１５００のブロック図が示されている。示されるように、分散コンピュータシステム１５００は、情報を交換する１つまたは複数のコンピュータシステムを含む。より具体的には、分散コンピュータシステム１５００は、コンピュータシステム１５０２、１５０４、および１５０６を含む。示されるように、コンピュータシステム１５０２、１５０４、および１５０６は、通信ネットワーク１５０８によって相互接続され、通信ネットワーク１５０８を通じてデータを交換することができる。ネットワーク１５０８は、コンピュータシステムがデータを交換することができる任意の通信ネットワークを含むことができる。ネットワーク１５０８を使用してデータを交換するために、コンピュータシステム１５０２、１５０４、および１５０６ならびにネットワーク１５０８は、とりわけ、Ｆｉｂｅｒ  Ｃｈａｎｎｅｌ、Ｔｏｋｅｎ  Ｒｉｎｇ、Ｅｔｈｅｒｎｅｔ（登録商標）、Ｗｉｒｅｌｅｓｓ  Ｅｔｈｅｒｎｅｔ、Ｂｌｕｅｔｏｏｔｈ（登録商標）、ＩＰ、ＩＰＶ６、ＴＣＰ／ＩＰ、ＵＤＰ、ＤＴＮ、ＨＴＴＰ、ＦＴＰ、ＳＮＭＰ、ＳＭＳ、ＭＭＳ、ＳＳ１５、ＪＳＯＮ、ＳＯＡＰ、ＣＯＲＢＡ、ＲＥＳＴ、およびウェブサービスを含む様々な方法、プロトコル、および規格を使用することができる。データ転送が安全であることを保証するために、コンピュータシステム１５０２、１５０４、および１５０６は、例えばＳＳＬまたはＶＰＮ技術を含む様々なセキュリティ対策を使用してネットワーク１５０８を介してデータを送信することができる。分散コンピュータシステム１５００は３つのネットワーク化されたコンピュータシステムを示すが、分散コンピュータシステム１５００はそれに限定されず、任意の媒体および通信プロトコルを使用してネットワーク化された任意の数のコンピュータシステムおよびコンピューティングデバイスを含んでもよい。
【０１７１】
図１５に示されるように、コンピュータシステム１５０２は、プロセッサ１５１０、メモリ１５１２、相互接続要素１５１４、インターフェース１５１６、およびデータ記憶要素１５１８を含む。本明細書で開示される態様、機能、およびプロセスの少なくともいくつかを実施するために、プロセッサ１５１０は、操作されたデータをもたらす一連の命令を実行する。プロセッサ１５１０は、任意のタイプのプロセッサ、マルチプロセッサまたはコントローラであり得る。例示的なプロセッサとしては、Ｉｎｔｅｌ  Ｘｅｏｎ、Ｉｔａｎｉｕｍ、Ｃｏｒｅ、Ｃｅｌｅｒｏｎ、もしくはＰｅｎｔｉｕｍ（登録商標）プロセッサ、ＡＭＤ  Ｏｐｔｅｒｏｎプロセッサ、Ａｐｐｌｅ  Ａ４もしくはＡ５プロセッサ、Ｓｕｎ  ＵｌｔｒａＳＰＡＲＣプロセッサ、ＩＢＭ  Ｐｏｗｅｒ５＋プロセッサ、ＩＢＭメインフレームチップ、または量子コンピュータなどの市販のプロセッサを含んでもよい。プロセッサ１５１０は、相互接続要素１５１４によって、１つまたは複数のメモリデバイス１５１２を含む他のシステム構成要素に接続される。
【０１７２】
メモリ１５１２は、コンピュータシステム１５０２の動作中にプログラム（例えば、プロセッサ１５１０によって実行可能にコード化された命令のシーケンス）およびデータを記憶する。したがって、メモリ１５１２は、ダイナミックランダムアクセスメモリ（「ＤＲＡＭ」）またはスタティックメモリ（「ＳＲＡＭ」）などの比較的高性能の揮発性ランダムアクセスメモリであり得る。しかしながら、メモリ１５１２は、ディスクドライブまたは他の不揮発性記憶デバイスなど、データを記憶するための任意のデバイスを含むことができる。様々な例は、メモリ１５１２を、本明細書で開示する機能を実行するために、特定の、場合によっては固有の構造に編成することができる。これらのデータ構造は、特定のデータの値およびデータのタイプを記憶するようにサイズ設定および編成することができる。
【０１７３】
コンピュータシステム１５０２の構成要素は、相互接続要素１５１４などの相互接続要素によって結合される。相互接続要素１５１４は、ＩＤＥ、ＳＣＳＩ、ＰＣＩ、およびＩｎｆｉｎｉＢａｎｄなどの専用または標準のコンピューティングバス技術に準拠する１つまたは複数の物理バスなどのシステム構成要素間の任意の通信結合を含むことができる。相互接続要素１５１４は、命令およびデータを含む通信がコンピュータシステム１５０２のシステム構成要素間で交換されることを可能にする。
【０１７４】
コンピュータシステム１５０２はまた、入力デバイス、出力デバイス、および入力／出力の組み合わせデバイスなどの１つまたは複数のインターフェースデバイス１５１６を含む。インターフェースデバイスは、入力を受信するか、または出力を提供することができる。より詳細には、出力デバイスは外部提示のための情報をレンダリングすることができる。入力デバイスは、外部ソースからの情報を受け入れることができる。インターフェースデバイスの例としては、キーボード、マウスデバイス、トラックボール、マイクロフォン、タッチスクリーン、印刷デバイス、ディスプレイスクリーン、スピーカ、ネットワークインターフェースカードなどが挙げられる。インターフェースデバイスは、コンピュータシステム１５０２が情報を交換し、ユーザおよび他のシステムなどの外部エンティティと通信することができるようにする。
【０１７５】
データ記憶要素１５１８は、プロセッサ１５１０によって実行されるプログラムまたは他のオブジェクトを規定する命令が記憶される、コンピュータ読み取り可能および書き込み可能な不揮発性または非一時的なデータ記憶媒体を含む。データ記憶要素１５１８はまた、媒体上または媒体内に記録され、プログラムの実行中にプロセッサ１５１０によって処理される情報も含むことができる。より具体的には、情報は、ストレージスペースを節約するか、またはデータ交換パフォーマンスを向上させるように特に構成された１つまたは複数のデータ構造に記憶され得る。命令は、符号化された信号として永続的に記憶されてもよく、命令は、プロセッサ１５１０に、本明細書に記載された機能のいずれかを実行させてもよい。媒体は、例えば、とりわけ、光ディスク、磁気ディスクまたはフラッシュメモリであり得る。動作中、プロセッサ１５１０または他の何らかのコントローラは、データが不揮発性記録媒体からメモリ１５１２などの別のメモリに読み取られるようにし、これによって、プロセッサ１５１０による情報へのアクセスを、データ記憶要素１５１８に含まれる記憶媒体よりも高速にすることが可能である。メモリはデータ記憶要素１５１８またはメモリ１５１２に配置されてもよいが、プロセッサ１５１０は、メモリ内のデータを操作し、その後、処理が完了した後にデータ記憶要素１５１８に関連付けられた記憶媒体にデータをコピーする。様々な構成要素が、記憶媒体と他のメモリ要素との間のデータ移動を管理することができ、例は特定のデータ管理構成要素に限定されない。さらに、例は特定のメモリシステムまたはデータ記憶システムに限定されない。
【０１７６】
コンピュータシステム１５０２は、例として、様々な態様および機能を実施することができる１つのタイプのコンピュータシステムとして示されているが、態様および機能は、図１５に示すようにコンピュータシステム１５０２上で実施されることに限定されない。図１５に示すものとは異なるアーキテクチャまたは構成要素を有する１つまたは複数のコンピュータ上で、様々な態様および機能を実施することができる。例えば、コンピュータシステム１５０２は、本明細書で開示される特定の動作を実行するように調整された特定用途向け集積回路（「ＡＳＩＣ」）などの特別にプログラムされた専用ハードウェアを含み得る。一方、別の例は、Ｍｏｔｏｒｏｌａ  ＰｏｗｅｒＰＣプロセッサを搭載したＭＡＣ  ＯＳ  Ｓｙｓｔｅｍ  Ｘを実行するいくつかの汎用コンピューティングデバイスと、専用ハードウェアおよびオペレーティングシステムを実行するいくつかの専用コンピューティングデバイスのグリッドを使用して同じ機能を実行することができる。
【０１７７】
コンピュータシステム１５０２は、コンピュータシステム１５０２に含まれるハードウェア要素の少なくとも一部を管理するオペレーティングシステムを含むコンピュータシステムであってもよい。いくつかの例では、プロセッサ１５１０などのプロセッサまたはコントローラがオペレーティングシステムを実行する。実行可能な特定のオペレーティングシステムの例としては、Ｍｉｃｒｏｓｏｆｔ  Ｃｏｒｐｏｒａｔｉｏｎから入手可能なＷｉｎｄｏｗｓベースのオペレーティングシステムなどのＷｉｎｄｏｗｓベースのオペレーティングシステム、Ａｐｐｌｅ  Ｃｏｍｐｕｔｅｒから入手可能なＭＡＣ  ＯＳ  Ｓｙｓｔｅｍ  ＸオペレーティングシステムもしくはｉＯＳオペレーティングシステム、例えば、Ｒｅｄ  Ｈａｔ  Ｉｎｃ．から入手可能なＥｎｔｅｒｐｒｉｓｅ  Ｌｉｎｕｘ（登録商標）オペレーティングシステムなどの多くのＬｉｎｕｘ（登録商標）ベースのオペレーティングシステムディストリビューションの１つ、または様々なソースから入手可能なＵＮＩＸ（登録商標）オペレーティングシステムが挙げられる。他の多くのオペレーティングシステムを使用することができ、例はいかなる特定のオペレーティングシステムにも限定されない。
【０１７８】
プロセッサ１５１０およびオペレーティングシステムは共に、高レベルプログラミング言語のアプリケーションプログラムが書かれるコンピュータプラットフォームを規定する。これらの構成要素アプリケーションは、例えばＴＣＰ／ＩＰなどの通信プロトコルを使用して、例えばインターネットなどの通信ネットワークを介して通信する実行可能コード、中間コード、バイトコードまたはインタープリタコードであってもよい。同様に、諸態様は、．Ｎｅｔ、Ｊａｖａ（登録商標）、Ｃ＋＋、Ｃ＃（Ｃシャープ）、Ｐｙｔｈｏｎ、またはＪａｖａＳｃｒｐｔなどのオブジェクト指向プログラミング言語を使用して実施することができる。他のオブジェクト指向プログラミング言語も使用することができる。代替的に、関数型、スクリプト型、または論理型のプログラミング言語を使用することもできる。
【０１７９】
さらに、様々な態様および機能が、非プログラム環境で実施されてもよい。例えば、ＨＴＭＬ、ＸＭＬ、または他の形式で作成されたドキュメントは、ブラウザプログラムのウィンドウ内で表示されると、グラフィカルユーザインターフェースの態様をレンダリングし、または、他の機能を実行することができる。さらに、様々な例は、プログラム要素もしくは非プログラム要素、またはそれらの任意の組み合わせとして実施されてもよい。例えば、ウェブページはＨＴＭＬを使用して実施されてもよく、ウェブページ内から呼び出されるデータオブジェクトはＣ＋＋で記述されてもよい。したがって、例は特定のプログラミング言語に限定されず、任意の適切なプログラミング言語を使用することができる。したがって、本明細書で開示される機能構成要素は、本明細書で説明される機能を実行するように構成された多種多様な要素（例えば、専用ハードウェア、実行可能コード、データ構造またはオブジェクト）を含み得る。
【０１８０】
いくつかの例では、本明細書で開示される構成要素は、構成要素によって実行される機能に影響を及ぼすパラメータを読み取ることができる。これらのパラメータは、揮発性メモリ（ＲＡＭなど）または不揮発性メモリ（磁気ハードドライブなど）を含む適切なメモリの任意の形式で物理的に記憶することができる。さらに、パラメータは、適切なデータ構造（ユーザ空間アプリケーションによって規定されたデータベースもしくはファイルなど）または一般的に共有されているデータ構造（オペレーティングシステムで規定されたアプリケーションレジストリなど）に論理的に記憶することができる。さらに、いくつかの例は、外部エンティティがパラメータを修正し、それによって構成要素の挙動を構成することを可能にするシステムインターフェースとユーザインターフェースの両方を提供する。
【０１８１】
このように、本発明の少なくとも１つの実施形態のいくつかの態様を説明したが、様々な変更、修正、および改善が当業者に容易に想起されることが理解されるべきである。そのような変更、修正、および改善は、本開示の一部であることが意図されており、本発明の精神および範囲内にあることが意図されている。したがって、前述の説明および図面は単なる例である。
【０１８２】
本開示の様々な特徴および態様は、単独で、２つ以上の任意の組み合わせにおいて、または前述の実施形態で具体的に議論されていない様々な構成で使用することができ、したがって、その適用において上記の説明に記載された、または図面に示された構成要素の詳細および構成に限定されない。例えば、１つの実施形態で説明されている態様は、他の実施形態で説明されている態様と任意の方法で組み合わせることができる。
【０１８３】
また、本明細書で開示される概念は方法として具体化されてもよく、その例が提供されている。方法の一部として実行される動作は、任意の適切な方法で順序付けられてもよい。したがって、例示的な実施形態では順次的な動作として示されていても、動作が図示されたものとは異なる順序で実行される実施形態を構成することができ、これはいくつかの動作を同時に実行することを含み得る。
【０１８４】
クレーム要素を修飾するための、特許請求の範囲内の「第１」、「第２」、「第３」などのような順序用語の使用は、それ自体では、あるクレーム要素の別の要素に対する優先順位、選好、もしくは順序、または、方法の動作が実施される時間的順序を意味するものではなく、クレーム要素を区別するために、特定の名称を有する１つのクレーム要素を同じ名称を有する（ただし、順序用語の使用を別として）別の要素と区別するためのラベルとしてのみ使用される。
【０１８５】
また、本明細書で使用されている表現および用語は説明を目的としており、限定と見なされるべきではない。本明細書における「含む（ｉｎｃｌｕｄｉｎｇ）」、「備える（ｃｏｍｐｒｉｓｉｎｇ）」、「有する（ｈａｖｉｎｇ）」、「包含する（ｃｏｎｔａｉｎｉｎｇ）」、「伴う（ｉｎｖｏｌｖｉｎｇ）」、およびそれらの変形の使用は、その後にリストされるアイテムおよびその均等物ならびに追加のアイテムを包含することを意味する。
【図１】
2020509483.tif 000003
【図２】
2020509483.tif 000004
【図３Ａ】
2020509483.tif 000005
【図３Ｂ】
2020509483.tif 000006
【図４Ａ】
2020509483.tif 000007
【図４Ｂ】
2020509483.tif 000008
【図５Ａ】
2020509483.tif 000009
【図５Ｂ】
2020509483.tif 000010
【図５Ｃ】
2020509483.tif 000011
【図６Ａ】
2020509483.tif 000012
【図６Ｂ】
2020509483.tif 000013
【図７Ａ】
2020509483.tif 000014
【図７Ｂ】
2020509483.tif 000015
【図８Ａ】
2020509483.tif 000016
【図８Ｂ】
2020509483.tif 000017
【図９】
2020509483.tif 000018
【図１０】
2020509483.tif 000019
【図１１Ａ】
2020509483.tif 000020
【図１１Ｂ】
2020509483.tif 000021
【図１１Ｃ】
2020509483.tif 000022
【図１２Ａ】
2020509483.tif 000023
【図１２Ｂ】
2020509483.tif 000024
【図１３Ａ】
2020509483.tif 000025
【図１３Ｂ】
2020509483.tif 000026
【図１４Ａ】
2020509483.tif 000027
【図１４Ｂ】
2020509483.tif 000028
【図１５】
2020509483.tif 000029
【国際調査報告】
2020509483.tif 000030
2020509483.tif 000031